(57)【要約】【課題】記録方式が同じ光情報記録媒体と光情報記録装置との任意の組合せにおいて情報の記録を極力可能とし、光情報記録媒体と光情報記録装置との組合せに関する互換性やマッチング性を向上させる。【解決手段】光情報記録媒体には、１Ｔ周期型パターンと２Ｔ周期型パターンとの２種類のパルスパターンのパラメータ情報及び各々のパルスパターンで当該媒体に記録可能な線速度に関する情報を記録条件情報として予めプリフォーマットさせておく。そこで、記録動作に先立ち当該媒体にプリフォーマットされた各々のパルスパターンの記録条件情報を再生する（Ｓ２）。読出し後、自己の光情報記録装置の記録条件情報と、媒体の記録条件情報とを照合比較し（Ｓ４）、所望の最適条件を満たす記録条件情報を選択する（Ｓ５）。選択されたパルスパターンに対応するパラメータ情報に基づき最適なマルチパルス列パターンを生成して設定する（Ｓ６）。【選択図】　　　　図１０
2004046966.tif 000002
【特許請求の範囲】
【請求項１】
同心円又は螺旋状の案内溝を有する透明基板上に少なくとも相変化型記録層を有し、時間的長さｎＴ（ｎは自然数、Ｔは基本クロック周期）の記録マーク及びマーク間でＰＷＭ変調方式に従い発光させたレーザ光が照射されることにより前記相変化型記録層に相変化が生じ、情報の記録又は書換えが行われる光情報記録媒体であって、
前記記録マーク部分の記録時に照射する前記レーザ光の発光波形を規定する加熱パルスと冷却パルスとの組合せによるマルチパルス列パターンに関して適用線速度範囲の異なる複数種類のパルスパターンのパラメータ情報及び各々のパルスパターンで当該媒体に記録可能な線速度に関する情報が記録条件情報として予めプリフォーマットされている光情報記録媒体。
【請求項２】
各々のパルスパターンに対応する試し書きに関するパラメータ情報も記録条件情報として併せてプリフォーマットされている請求項１記載の光情報記録媒体。
【請求項３】
パルスパターンの一つは、加熱パルスと冷却パルスとの組合せを１Ｔ周期とする部分を含む１Ｔ周期型パターンであり、
別のパルスパターンの一つは、加熱パルスと冷却パルスとの組合せを２Ｔ周期とする部分を含む２Ｔ周期型パターンである請求項１又は２記載の光情報記録媒体。
【請求項４】
前記１Ｔ周期型パターンは、適用線速度範囲が特定線速度用に固定されたパターンである請求項３記載の光情報記録媒体。
【請求項５】
プリフォーマットされた情報は、グルーブのウォブリングにエンコードされて記録されている請求項１ないし４の何れか一記載の光情報記録媒体。
【請求項６】
プリフォーマットされた情報は、ウォブリングの周波数変調によって記録されている請求項５記載の光情報記録媒体。
【請求項７】
プリフォーマットされた情報は、ウォブリングの位相変調によって記録されている請求項５記載の光情報記録媒体。
【請求項８】
プリフォーマットされた情報は、リードイン部分に記録されている請求項５ないし７の何れか一記載の光情報記録媒体。
【請求項９】
プリフォーマットされた情報は、情報記録領域よりも内周又はテスト記録領域よりも内周側の部分に記録されている請求項５ないし７の何れか一記載の光情報記録媒体。
【請求項１０】
プリフォーマットされた情報は、情報記録領域よりも外周であって、リードアウト部よりも外周側又は外周部のテスト記録領域よりも外周側の部分に記録されている請求項５ないし７の何れか一記載の光情報記録媒体。
【請求項１１】
プリフォーマットされた情報は、情報記録領域の一部に記録されている請求項１ないし４の何れか一記載の光情報記録媒体。
【請求項１２】
プリフォーマットされた情報は、当該媒体の表面の一部にコード情報として表記されている請求項１ないし４の何れか一記載の光情報記録媒体。
【請求項１３】
光情報記録装置に装填された請求項１ないし１２の何れか一記載の光情報記録媒体に対する記録動作に先立ち当該媒体にプリフォーマットされた各々のパルスパターンの記録条件情報を読出すステップと、
読出された記録条件情報と前記光情報記録媒体が装填された当該光情報記録装置で記録可能な線速度情報を含む性能に関する記録条件情報とを比較するステップと、
比較の結果、所望の最適条件を満たす記録条件情報を選択するステップと、
選択された記録条件情報に基づきレーザ光の発光に用いるマルチパルス列パターンを生成するステップと、
を備える記録条件決定方法。
【請求項１４】
選択されたパルスパターンに対応する試し書きに関するパラメータ情報に基づき前記光情報記録媒体に対して試し書きを行い、加熱パルスの発光パワーを決定するステップをさらに備える請求項１３記載の記録条件決定方法。
【請求項１５】
選択された記録条件に基づき当該光情報記録媒体のテスト記録領域にテスト記録を行い、記録された記録マークの信号特性の適正度の結果に基づき最終決定するステップをさらに備える請求項１３又は１４記載の記録条件決定方法。
【請求項１６】
所望の最適条件が、前記光情報記録媒体の記録条件情報と当該光情報記録装置の記録条件情報との比較において記録可能な条件のうちで最高線速度となる条件である請求項１３ないし１５の何れか一記載の記録条件決定方法。
【請求項１７】
所望の最適条件が、或る一種類のパルスパターンに特定された記録条件下において、前記光情報記録媒体の記録条件情報と当該光情報記録装置の記録条件情報との比較において記録可能な条件のうちで最高線速度となる条件である請求項１３ないし１５の何れか一記載の記録条件決定方法。
【請求項１８】
所望の最適条件が、或る一種類のパルスパターンの或る線速度に特定された記録条件下において、前記光情報記録媒体の記録条件情報と当該光情報記録装置の記録条件情報との比較において記録可能であれば当該記録条件を有効とする条件である請求項１３ないし１５の何れか一記載の記録条件決定方法。
【請求項１９】
所望の最適条件が、前記光情報記録媒体の記録条件情報と当該光情報記録装置の記録条件情報との比較において記録可能な条件のうちで記録状態が最も安定する条件である請求項１３ないし１５の何れか一記載の記録条件決定方法。
【請求項２０】
記録マークの時間的長さが基本クロック周期Ｔのｎ倍（ｎは自然数）なるｎＴで表されるマーク長記録方式によりレーザ光を照射して情報を光情報記録媒体に対して記録する光情報記録装置において、
前記光情報記録媒体を回転させる回転駆動機構と、
前記光情報記録媒体に対して照射するレーザ光を発するレーザ光源と、
このレーザ光源を発光させる光源駆動手段と、
当該装置に装填された請求項１ないし１２の何れか一記載の光情報記録媒体に対する記録動作に先立ち当該媒体にプリフォーマットされた各々のパルスパターンの記録条件情報を読出す読出し手段と、
読出された記録条件情報と前記光情報記録媒体が装填された当該装置で記録可能な線速度情報を含む性能に関する記録条件情報とを比較する比較手段と、
比較の結果、所望の最適条件を満たす記録条件情報を選択する選択手段と、
選択された記録条件情報に基づき前記レーザ光源の発光に用いるマルチパルス列パターンを生成するパターン生成手段と、
前記レーザ光源が発するレーザ光の発光波形を規定するマルチパルス列パターンに関する記録ストラテジが前記パターン生成手段により生成されたマルチパルス列パターンにより設定されて前記光源駆動手段を制御する発光波形制御手段と、
前記回転駆動機構により回転駆動される前記光情報記録媒体とこの光情報記録媒体に照射される前記レーザ光との間の相対的な走査速度を前記選択手段により選択された記録条件情報中の線速度情報に基づき制御する速度制御手段と、
を備える光情報記録装置。
【請求項２１】
選択されたパルスパターンに対応する試し書きに関するパラメータ情報に基づき前記光情報記録媒体に対して試し書きを行い、加熱パルスの発光パワーを決定する試し書き手段をさらに備える請求項２０記載の光情報記録装置。
【請求項２２】
選択された記録条件に基づき当該光情報記録媒体のテスト記録領域にテスト記録を行い、記録された記録マークの信号特性の適正度の結果に基づき最終決定する最終決定手段をさらに備える請求項２０又は２１記載の光情報記録装置。
【請求項２３】
前記選択手段が選択するための所望の最適条件が、前記光情報記録媒体の記録条件情報と当該光情報記録装置の記録条件情報との比較において記録可能な条件のうちで最高線速度となる条件である請求項２０ないし２２の何れか一記載の光情報記録装置。
【請求項２４】
前記選択手段が選択するための所望の最適条件が、或る一種類のパルスパターンに特定された記録条件下において、記録可能な条件のうちで最高線速度となる条件である請求項２０ないし２２の何れか一記載の光情報記録装置。
【請求項２５】
前記選択手段が選択するための所望の最適条件が、或る一種類のパルスパターンの或る線速度に特定された記録条件下において、記録可能であれば当該記録条件を有効とする条件である請求項２０ないし２２の何れか一記載の光情報記録装置。
【請求項２６】
前記選択手段が選択するための所望の最適条件が、前記光情報記録媒体の記録条件情報と当該光情報記録装置の記録条件情報との比較において記録可能な条件のうちで記録状態が最も安定する条件である請求項２０ないし２２の何れか一記載の光情報記録装置。
【請求項２７】
請求項２０ないし２６の何れか一記載の光情報記録装置を内蔵した情報処理装置。
【発明の詳細な説明】
【０００１】
【発明の属する技術分野】
本発明は、記録可能な光情報記録媒体、特にＣＤ−ＲＷ，ＤＶＤ−ＲＡＭ，ＤＶＤ−ＲＷ，ＤＶＤ＋ＲＷ等の相変化型の光情報記録媒体、このような光情報記録媒体の記録に用いられる記録条件決定方法、このような光情報記録媒体に対する光情報記録装置及び情報処理装置に関する。
【０００２】
【従来の技術】
レーザ光の照射により情報の記録・再生が行われる光情報記録媒体として、一度だけ記録可能（追記型）なＣＤ−ＲやＤＶＤ−Ｒ，ＤＶＤ＋Ｒ、書換えが可能なＣＤ−ＲＷ，ＤＶＤ−ＲＷ，ＤＶＤ＋ＲＷ，ＤＶＤ−ＲＡＭ，ＭＤ，ＭＯディスクなどの様々な媒体が実用化されており、リムーバブルな媒体として、カセットテープやＦＤなどの磁気記録媒体に代わり、年々と需要が高まっている。
【０００３】
これらの光情報記録媒体のうち、ＣＤ−ＲＷ，ＤＶＤ−ＲＷ，ＤＶＤ＋ＲＷ，ＤＶＤ−ＲＡＭなどは、記録層の材料として、結晶−非結晶相間或いは結晶−結晶相間の転移を利用する、いわゆる相変化材料を使用している。特に、ＭＤ，ＭＯなどの光磁気メモリでは困難である単一ビームによるオーバーライトが容易であり、記録・再生装置側の光学系もより単純であることなどから、相変化型の光情報記録媒体の需要が高まっている。
【０００４】
そして、情報化社会が進み、取扱う情報の量が益々増加する中、より多くの情報をより速く記録することへの要求が高まっており、これらの光情報記録媒体に関しては、更なる高密度化や高線速度化が期待されている。
【０００５】
一般に、相変化型の光情報記録媒体に対して情報の記録を行う場合、オーバーライトを良好に行うために、レーザ光のパワーレベルを記録レベル（加熱レベル）Ｐｗ、バイアスレベル（冷却レベル）Ｐｂ、消去レベルＰｅの３段階に変調させるマルチパルスパターンの記録ストラテジを使用して記録や書換えを行っている。このとき、マルチスピード記録やＣＡＶ（Ｃｏｎｓｔａｎｔ　Ａｎｇｕｌａｒ　Ｖｅｌｏｃｉｔｙ）記録のように、同じ光情報記録媒体に対して異なる線速度で記録を行う場合、低線速度範囲よりも高線速度範囲の方が記録層を昇温させるために掛けるエネルギー量が大きくなるため、適正な記録条件は異なってくる。そのため、高線速度範囲では低線速度範囲に比べて記録パワーを高くする、記録ストラテジにおけるマルチパルス部の高レベルパルスのパワーレベルをかける時間幅を長くする、など線速度毎に最適な記録条件へ変更させることで、良好な特性での記録を確保するような対応が行われている。
【０００６】
このときの最適な記録条件については、光情報記録媒体の材料、構造、仕様や光情報記録装置の構成・仕様などによって異なる。そのため、光情報記録媒体中に標準的な記録条件についての情報を入れておき、その情報を基にして、このような光情報記録媒体が装填された各光情報記録装置において、記録を行う直前に、その都度、テスト記録を行い、記録条件の詳細な設定を決めるという手法が取り入れられていることが多い。
【０００７】
【発明が解決しようとする課題】
しかしながら、この標準的な記録条件として入れられる情報は、１種類のパルスパターンに関するものだけであるため、記録情報を有する線速度範囲は、当該パルスパターンにおいて記録可能な線速度範囲に限定されてしまっている。
【０００８】
例えば、ＣＤ−ＲＷでは、マルチスピード（１−４倍速記録：オレンジブック・パートＩＩＩ・Ｖｏｌ１）対応の光情報記録媒体と、ハイスピード（４−１０倍速記録：オレンジブック・パートＩＩＩ・Ｖｏｌ２）対応の光情報記録媒体とが混在しており、マルチスピード対応のＣＤ−ＲＷ媒体には、１，２，４倍速記録を行うためのパルスパターンのパラメータについての情報が記録され、ハイスピード対応のＣＤ−ＲＷ媒体には、４，８，１０倍速記録を行うためのパルスパターンのパラメータについての情報が記録されているのみであり、マルチスピード対応のＣＤ−ＲＷ媒体では１−４倍速での記録しか、ハイスピード対応のＣＤ−ＲＷ媒体では４−１０倍速での記録しか行うことができない。
【０００９】
加えて、マルチスピードのみに対応の光情報記録装置を用いた場合、ハイスピード対応のＣＤ−ＲＷ記録媒体に対しては記録することはできない。これは、実際には規格上の制約による制限であるが、マルチスピード対応のＣＤ−ＲＷ記録装置におけるスピンドルモータの回転速度、及び／又は、レーザ光のパルスパターンのパワーレベルの上限、及び／又は、パルス幅最少時間が、光情報記録装置の仕様の限界を超え、ハイスピード対応のＣＤ−ＲＷ媒体へ８倍速，１０倍速といった高速記録を行うことができないために設けられた制限となっている。
【００１０】
そのため、新しく高速記録に対応させて規格化され、それに対応した光情報記録媒体が出現する度に、旧来から存在する光情報記録装置は型落ち品となり、記録速度に関して能力の低い装置となるため、商品としての寿命が短く、多量の廃棄を生む可能性がある。
【００１１】
結局、現状及び将来的に見て、各種の光情報記録媒体や各種の光情報記録装置が存在し或いは存在し得る環境下において、記録方式が同じであっても、両者の互換性やマッチング性が特に考慮されておらず、同一の光情報記録媒体に対して或る光情報記録装置では記録可能であるが別の或る光情報記録装置では記録不可となってしまうことや、同一の光情報記録装置において或る光情報記録媒体には記録可能であるが別の或る光情報記録媒体には記録不可となってしまうことがあり、さらには、記録は可能であるが線速度の遅い範囲に制約されてしまうことがあり、光情報記録媒体と光情報記録装置との組合せに関する互換性やマッチング性が低いものである。
【００１２】
本発明の目的は、記録方式が同じ光情報記録媒体と光情報記録装置との任意の組合せにおいて情報の記録又は書換えを極力可能とし、光情報記録媒体と光情報記録装置との組合せに関する互換性やマッチング性を向上させることである。
【００１３】
本発明の目的は、光情報記録媒体と光情報記録装置との任意の組合せに関する互換性やマッチング性の向上により、光情報記録装置の型落ち品化を低減させ、商品寿命を延ばすことである。
【００１４】
本発明の目的は、光情報記録媒体と光情報記録装置との任意の組合せに関する互換性やマッチング性の向上を、極力少ないプリフォーマット情報により実現することである。
【００１５】
本発明の目的は、光情報記録媒体と光情報記録装置との任意の組合せに関する互換性やマッチング性の向上により、極力高速に記録動作を行わせることで、コンピュータの外部メモリ装置等への適用の好適化を図ることである。
【００１６】
【課題を解決するための手段】
請求項１記載の発明は、同心円又は螺旋状の案内溝を有する透明基板上に少なくとも相変化型記録層を有し、時間的長さｎＴ（ｎは自然数、Ｔは基本クロック周期）の記録マーク及びマーク間でＰＷＭ変調方式に従い発光させたレーザ光が照射されることにより前記相変化型記録層に相変化が生じ、情報の記録又は書換えが行われる光情報記録媒体であって、前記記録マーク部分の記録時に照射する前記レーザ光の発光波形を規定する加熱パルスと冷却パルスとの組合せによるマルチパルス列パターンに関して適用線速度範囲の異なる複数種類のパルスパターンのパラメータ情報及び各々のパルスパターンで当該媒体に記録可能な線速度に関する情報が記録条件情報として予めプリフォーマットされている。
【００１７】
本発明及び以下の発明において、「適用線速度範囲」とは、例えば９．６ｍ／ｓ（ＣＤ−ＲＯＭ再生の８倍速相当）〜２８．８ｍ／ｓ（ＣＤ−ＲＯＭ再生の２４倍速相当）等の如く線速度の幅を持つ場合に限らず、１９．２ｍ／ｓ（ＣＤ−ＲＯＭ再生の１６倍速相当）固定のような特定線速度（即ち、最低線速度＝最高線速度）のみの場合も含む意味である。また、「適用線速度範囲の異なる」とは、例えば９．６ｍ／ｓ（ＣＤ−ＲＯＭ再生の８倍速相当）〜１９．２ｍ／ｓ（ＣＤ−ＲＯＭ再生の１６倍速相当）と、９．６ｍ／ｓ（ＣＤ−ＲＯＭ再生の８倍速相当）〜３８．４ｍ／ｓ（ＣＤ−ＲＯＭ再生の３２倍速相当）との組合せの如く、全体として最低線速度〜最高線速度の範囲が異なっていればよく、その範囲の一部がオーバーラップすることを許容する意味である。
【００１８】
従って、マルチパルス列パターンに関して適用線速度範囲の異なる複数種類のパルスパターンのパラメータ情報及び各々のパルスパターンで当該媒体に記録可能な線速度に関する情報が記録条件情報として予めプリフォーマットされているので、或る光情報記録装置に装填されて情報の記録又は書換えに供される場合に、当該媒体に関して記録可能な線速度に関する情報を複数種類のパルスパターンを利用することで適用線速度範囲が異なる広範囲に亘って当該装置に提供することができ、当該装置側では自己の性能に応じた記録条件を選択できることとなるので、記録方式が同じ光情報記録装置との任意の組合せにおいて情報の記録又は書換えが極力可能となり、光情報記録装置との任意の組合せに関する互換性やマッチング性が向上する。
【００１９】
請求項２記載の発明は、請求項１記載の光情報記録媒体において、各々のパルスパターンに対応する試し書きに関するパラメータ情報も記録条件情報として併せてプリフォーマットされている。
【００２０】
従って、実際に記録条件を決定する上で、レーザ光の最適発光パワーを設定するための試し書きを行わせることが多いが、各々のパルスパターンに対応する試し書きに関するパラメータ情報も記録条件情報として併せてプリフォーマットされているので、選択されるパルスパターンに応じた試し書き処理を簡単かつ適正に行わせることが可能となる。
【００２１】
請求項３記載の発明は、請求項１又は２記載の光情報記録媒体において、パルスパターンの一つは、加熱パルスと冷却パルスとの組合せを１Ｔ周期とする部分を含む１Ｔ周期型パターンであり、別のパルスパターンの一つは、加熱パルスと冷却パルスとの組合せを２Ｔ周期とする部分を含む２Ｔ周期型パターンである。
【００２２】
従って、加熱パルスと冷却パルスとの組合せを２Ｔ周期とする部分を含む２Ｔ周期型パターンは、マルチパルス列パターンを用いてレーザ光を発光させて記録する上で、記録線速度が速くなると基本クロック周波数が高くなり、レーザ光源の立上り、立下り時間が間に合わなくなることから創案された高速向きパルスパターンであるが、このような２Ｔ周期型パターンが、通常の１Ｔ周期型パターンとともに予めプリフォーマットされているので、適用線速度範囲を広げることができ、光情報記録装置との任意の組合せに関する互換性やマッチング性の向上を、極力少ないプリフォーマット情報により実現することができる。また、このような光情報記録媒体が装填される光情報記録装置側からみると、同一スペックの装置において、通常の１Ｔ周期型パターンでは困難であった高速領域の記録も２Ｔ周期型パターンを利用することで可能となり、光情報記録装置の型落ち品化が低減し、商品寿命が延びることとなる。
【００２３】
請求項４記載の発明は、請求項３記載の光情報記録媒体において、前記１Ｔ周期型パターンは、適用線速度範囲が特定線速度用に固定されたパターンである。
【００２４】
従って、１Ｔ周期型パターンの適用線速度範囲が１９．２ｍ／ｓ（ＣＤ−ＲＯＭ再生の１６倍速相当）固定、２Ｔ周期型パターンの適用線速度範囲が９．６ｍ／ｓ（ＣＤ−ＲＯＭ再生の８倍速相当）〜２８．８ｍ／ｓ（ＣＤ−ＲＯＭ再生の２４倍速相当）のような組合せの場合にも、好適に適用できる。
【００２５】
請求項５記載の発明は、請求項１ないし４の何れか一記載の光情報記録媒体において、プリフォーマットされた情報は、グルーブのウォブリングにエンコードされて記録されている。
【００２６】
従って、パラメータ情報をプリフォーマットする上で、実際に採用されているウォブルエンコード法を活用でき、請求項１ないし４記載の発明を容易に実現できる。
【００２７】
請求項６記載の発明は、請求項５記載の光情報記録媒体において、プリフォーマットされた情報は、ウォブリングの周波数変調によって記録されている。
【００２８】
従って、いわゆる書換え可能なＣＤ−ＲＷ系の光情報記録媒体の場合に好適に適用できる。
【００２９】
請求項７記載の発明は、請求項５記載の光情報記録媒体において、プリフォーマットされた情報は、ウォブリングの位相変調によって記録されている。
【００３０】
従って、いわゆる書換え可能なＤＶＤ＋ＲＷ系の光情報記録媒体の場合に好適に適用できる。
【００３１】
請求項８記載の発明は、請求項５ないし７の何れか一記載の光情報記録媒体において、プリフォーマットされた情報は、リードイン部分に記録されている。
【００３２】
従って、通常、情報記録装置がディスク固有の情報を取得するためにアクセスするリードイン領域をプリフォーマット領域として活用することにより、そのパラメータ情報の読出しが確実となる。
【００３３】
請求項９記載の発明は、請求項５ないし７の何れか一記載の光情報記録媒体において、プリフォーマットされた情報は、情報記録領域よりも内周又はテスト記録領域よりも内周側の部分に記録されている。
【００３４】
従って、リードイン領域のみでは情報量が不足する場合に情報記録領域に支障を来たすことなく対処できる。
【００３５】
請求項１０記載の発明は、請求項５ないし７の何れか一記載の光情報記録媒体において、プリフォーマットされた情報は、情報記録領域よりも外周であって、リードアウト部よりも外周側又は外周部のテスト記録領域よりも外周側の部分に記録されている。
【００３６】
従って、リードイン領域のみでは情報量が不足する場合に情報記録領域に支障を来たすことなく対処できる。
【００３７】
請求項１１記載の発明は、請求項１ないし４の何れか一記載の光情報記録媒体において、プリフォーマットされた情報は、情報記録領域の一部に記録されている。
【００３８】
従って、既存の光情報記録媒体であっても、記録条件情報を任意の時点でプリフォーマットすることができる。
【００３９】
請求項１２記載の発明は、請求項１ないし４の何れか一記載の光情報記録媒体において、プリフォーマットされた情報は、当該媒体の表面の一部にコード情報として表記されている。
【００４０】
従って、既存の光情報記録媒体であっても、記録条件情報を後付けによりプリフォーマットすることができる。
【００４１】
請求項１３記載の発明の記録条件決定方法は、光情報記録装置に装填された請求項１ないし１２の何れか一記載の光情報記録媒体に対する記録動作に先立ち当該媒体にプリフォーマットされた各々のパルスパターンの記録条件情報を読出すステップと、読出された記録条件情報と前記光情報記録媒体が装填された当該光情報記録装置で記録可能な線速度情報を含む性能に関する記録条件情報とを比較するステップと、比較の結果、所望の最適条件を満たす記録条件情報を選択するステップと、選択された記録条件情報に基づきレーザ光の発光に用いるマルチパルス列パターンを生成するステップと、を備える。
【００４２】
従って、マルチパルス列パターンに関して適用線速度範囲の異なる複数種類のパルスパターンのパラメータ情報及び各々のパルスパターンで当該媒体に記録可能な線速度に関する情報が記録条件情報として予めプリフォーマットされた光情報記録媒体に対して情報の記録又は書換えを行う上で、当該媒体からこれらの記録条件情報を取得して当該光情報記録装置で記録可能な線速度情報を含む性能に関する記録条件情報と比較することで、当該装置側では自己の性能に応じて所望の最適条件を満たす記録条件を選択・設定することができるので、記録方式が同じ光情報記録媒体と光情報記録装置との任意の組合せにおいて情報の記録又は書換えが極力可能となり、光情報記録媒体と光情報記録装置との任意の組合せに関する互換性やマッチング性が向上する。
【００４３】
請求項１４記載の発明は、請求項１３記載の記録条件決定方法において、選択されたパルスパターンに対応する試し書きに関するパラメータ情報に基づき前記光情報記録媒体に対して試し書きを行い、加熱パルスの発光パワーを決定するステップをさらに備える。
【００４４】
従って、実際に記録条件を決定する上で、レーザ光の最適発光パワーを設定するための試し書きを行わせることが多いが、各々のパルスパターンに対応する試し書きに関するパラメータ情報も記録条件情報として併せてプリフォーマットされているので、選択されるパルスパターンに応じて試し書き処理を行うことで、適正な発光パワーの決定が可能となる。
【００４５】
請求項１５記載の発明は、請求項１３又は１４記載の記録条件決定方法において、選択された記録条件に基づき当該光情報記録媒体のテスト記録領域にテスト記録を行い、記録された記録マークの信号特性の適正度の結果に基づき最終決定するステップをさらに備える。
【００４６】
従って、実際のテスト記録の結果に基づき記録条件を最終決定するので、良好なる記録又は書換え動作を行わせることができる。
【００４７】
請求項１６記載の発明は、請求項１３ないし１５の何れか一記載の記録条件決定方法において、所望の最適条件が、前記光情報記録媒体の記録条件情報と当該光情報記録装置の記録条件情報との比較において記録可能な条件のうちで最高線速度となる条件である。
【００４８】
従って、所望の最適条件を、光情報記録媒体の記録条件情報と当該光情報記録装置の記録条件情報との比較において記録可能な条件のうちで最高線速度となる条件とすることで、光情報記録媒体と光情報記録装置との任意の組合せに関する互換性やマッチング性の向上を図る形態として、極力高速に記録動作を行わせることができ、コンピュータの外部メモリ装置等へ適用する上で好適化を図ることができる。
【００４９】
請求項１７記載の発明は、請求項１３ないし１５の何れか一記載の記録条件決定方法において、所望の最適条件が、或る一種類のパルスパターンに特定された記録条件下において、前記光情報記録媒体の記録条件情報と当該光情報記録装置の記録条件情報との比較において記録可能な条件のうちで最高線速度となる条件である。
【００５０】
従って、例えば、旧来から存在しており、一種類のパルスパターンにしか対応していない光情報記録装置（例えば、旧世代のドライブ装置）においても、極力高速で記録可能となる。そのため、新たに発売された光情報記録媒体であっても、記録可能な線速度範囲がオーバーラップしていれば、旧来の光情報記録装置で記録することが可能であり、当該光情報記録装置の製品寿命を延ばすことができる。
【００５１】
請求項１８記載の発明は、請求項１３ないし１５の何れか一記載の記録条件決定方法において、所望の最適条件が、或る一種類のパルスパターンの或る線速度に特定された記録条件下において、前記光情報記録媒体の記録条件情報と当該光情報記録装置の記録条件情報との比較において記録可能であれば当該記録条件を有効とする条件である。
【００５２】
従って、例えば、旧来から存在しており、一種類のパルスパターン・一種類の線速度にしか対応していない光情報記録装置（例えば、ビデオレコーダのような装置）においても、記録可能となる。そのため、光情報記録装置に関してビデオレコーダとドライブ装置とを一種類の光情報記録媒体で対応することができ、かつ、当該光情報記録装置の製品寿命を延ばすことができる。
【００５３】
請求項１９記載の発明は、請求項１３ないし１５の何れか一記載の記録条件決定方法において、所望の最適条件が、前記光情報記録媒体の記録条件情報と当該光情報記録装置の記録条件情報との比較において記録可能な条件のうちで記録状態が最も安定する条件である。
【００５４】
従って、所望の最適条件を、光情報記録媒体の記録条件情報と当該光情報記録装置の記録条件情報との比較において記録可能な条件のうちで記録状態が最も安定する条件とすることで、光情報記録媒体と光情報記録装置との任意の組合せに関する互換性やマッチング性の向上を図る形態として、例えば再生速度に近い状態で極力高品質な記録動作を行わせることができ、映像データ等の記録に適用する上で好適化を図ることができる。
【００５５】
請求項２０記載の発明の光情報記録装置は、記録マークの時間的長さが基本クロック周期Ｔのｎ倍（ｎは自然数）なるｎＴで表されるマーク長記録方式によりレーザ光を照射して情報を光情報記録媒体に対して記録する光情報記録装置において、前記光情報記録媒体を回転させる回転駆動機構と、前記光情報記録媒体に対して照射するレーザ光を発するレーザ光源と、このレーザ光源を発光させる光源駆動手段と、当該装置に装填された請求項１ないし１２の何れか一記載の光情報記録媒体に対する記録動作に先立ち当該媒体にプリフォーマットされた各々のパルスパターンの記録条件情報を読出す読出し手段と、読出された記録条件情報と前記光情報記録媒体が装填された当該装置で記録可能な線速度情報を含む性能に関する記録条件情報とを比較する比較手段と、比較の結果、所望の最適条件を満たす記録条件情報を選択する選択手段と、選択された記録条件情報に基づき前記レーザ光源の発光に用いるマルチパルス列パターンを生成するパターン生成手段と、前記レーザ光源が発するレーザ光の発光波形を規定するマルチパルス列パターンに関する記録ストラテジが前記パターン生成手段により生成されたマルチパルス列パターンにより設定されて前記光源駆動手段を制御する発光波形制御手段と、前記回転駆動機構により回転駆動される前記光情報記録媒体とこの光情報記録媒体に照射される前記レーザ光との間の相対的な走査速度を前記選択手段により選択された記録条件情報中の線速度情報に基づき制御する速度制御手段と、を備える。
【００５６】
従って、マルチパルス列パターンに関して適用線速度範囲の異なる複数種類のパルスパターンのパラメータ情報及び各々のパルスパターンで当該媒体に記録可能な線速度に関する情報が記録条件情報として予めプリフォーマットされた光情報記録媒体に対して情報の記録又は書換えを行う上で、当該媒体からこれらの記録条件情報を取得して当該装置で記録可能な線速度情報を含む性能に関する記録条件情報と比較することで、当該装置側では自己の性能に応じて所望の最適条件を満たす記録条件を選択・設定することができるので、記録方式が同じ光情報記録媒体との任意の組合せにおいて情報の記録又は書換えが極力可能となり、光情報記録媒体との任意の組合せに関する互換性やマッチング性が向上する。
【００５７】
請求項２１記載の発明は、請求項２０記載の光情報記録装置において、選択されたパルスパターンに対応する試し書きに関するパラメータ情報に基づき前記光情報記録媒体に対して試し書きを行い、加熱パルスの発光パワーを決定する試し書き手段をさらに備える。
【００５８】
従って、実際に記録条件を決定する上で、レーザ光の最適発光パワーを設定するための試し書きを行わせることが多いが、各々のパルスパターンに対応する試し書きに関するパラメータ情報も記録条件情報として併せてプリフォーマットされているので、選択されるパルスパターンに応じて試し書き処理を行うことで、適正な発光パワーの決定が可能となる。
【００５９】
請求項２２記載の発明は、請求項２０又は２１記載の光情報記録装置において、選択された記録条件に基づき当該光情報記録媒体のテスト記録領域にテスト記録を行い、記録された記録マークの信号特性の適正度の結果に基づき最終決定する最終決定手段をさらに備える。
【００６０】
従って、実際のテスト記録の結果に基づき記録条件を最終決定するので、良好なる記録又は書換え動作を行わせることができる。
【００６１】
請求項２３記載の発明は、請求項２０ないし２２の何れか一記載の光情報記録装置において、前記選択手段が選択するための所望の最適条件が、前記光情報記録媒体の記録条件情報と当該光情報記録装置の記録条件情報との比較において記録可能な条件のうちで最高線速度となる条件である。
【００６２】
従って、所望の最適条件を、光情報記録媒体の記録条件情報と当該光情報記録装置の記録条件情報との比較において記録可能な条件のうちで最高線速度となる条件とすることで、光情報記録媒体との任意の組合せに関する互換性やマッチング性の向上を図りつつ、極力高速に記録動作を行わせることができ、コンピュータの外部メモリ装置等へ適用する上で好適化を図ることができる。
【００６３】
請求項２４記載の発明は、請求項２０ないし２２の何れか一記載の光情報記録装置において、前記選択手段が選択するための所望の最適条件が、或る一種類のパルスパターンに特定された記録条件下において、記録可能な条件のうちで最高線速度となる条件である。
【００６４】
従って、例えば、旧来から存在しており、一種類のパルスパターンにしか対応していない光情報記録装置（例えば、旧世代のドライブ装置）においても、極力高速で記録可能となる。そのため、新たに発売された光情報記録媒体であっても、記録可能な線速度範囲がオーバーラップしていれば、旧来の光情報記録装置で記録することが可能であり、当該光情報記録装置の製品寿命を延ばすことができる。
【００６５】
請求項２５記載の発明は、請求項２０ないし２２の何れか一記載の光情報記録装置において、前記選択手段が選択するための所望の最適条件が、或る一種類のパルスパターンの或る線速度に特定された記録条件下において、記録可能であれば当該記録条件を有効とする条件である。
【００６６】
従って、例えば、旧来から存在しており、一種類のパルスパターン・一種類の線速度にしか対応していない光情報記録装置（例えば、ビデオレコーダのような装置）においても、記録可能となる。そのため、光情報記録装置に関してビデオレコーダとドライブ装置とを一種類の光情報記録媒体で対応することができ、かつ、当該光情報記録装置の製品寿命を延ばすことができる。
【００６７】
請求項２６記載の発明は、請求項２０ないし２２の何れか一記載の光情報記録装置において、前記選択手段が選択するための所望の最適条件が、前記光情報記録媒体の記録条件情報と当該光情報記録装置の記録条件情報との比較において記録可能な条件のうちで記録状態が最も安定する条件である。
【００６８】
従って、所望の最適条件を、光情報記録媒体の記録条件情報と当該光情報記録装置の記録条件情報との比較において記録可能な条件のうちで記録状態が最も安定する条件とすることで、光情報記録媒体と光情報記録装置との任意の組合せに関する互換性やマッチング性の向上を図りつつ、再生速度に近い状態で極力高品質な記録動作を行わせることができ、映像データ等の記録に適用する上で好適化を図ることができる。
【００６９】
請求項２７記載の発明の情報処理装置は、請求項２０ないし２６の何れか一記載の光情報記録装置を内蔵している。
【００７０】
従って、請求項２０ないし２６の何れか一記載の光情報記録装置を内蔵しているので、記録方式が同じ光情報記録媒体との任意の組合せにおいて情報の記録又は書換えが極力可能となり、光情報記録媒体との任意の組合せに関する互換性やマッチング性が向上する。特に、極力高速に記録動作を行わせることで、光情報記録装置をコンピュータの外部メモリ装置として好適に用いることができる。
【００７１】
【発明の実施の形態】
本発明の一実施の形態を図面に基づいて説明する。
【００７２】
本実施の形態は、照射光の強度変調によって記録、消去或いは書換えが可能な光情報記録媒体、特に相変化型の光情報記録媒体に対する光情報記録方法及び光情報記録装置（光情報再生装置を含む）に適用される。
【００７３】
光情報記録媒体への記録は、強度変調した光ビームを照射及び走査し、媒体に記録マークを形成することで行う。記録マークは光の照射により光学的な特性が異なる領域であり、媒体の記録層中に形成される。光情報記録装置及び光情報再生装置はこの記録マーク部の光学特性の差を利用して情報を再生する。記録マークの状態は記録層材料の種類によって異なり、磁性体の記録層材料の場合は、磁気配向の異なる領域であり、相変化材料の場合は相の異なる領域となる。現在最も一般的である書換え型光情報記録媒体である相変化材料を用いた光情報記録媒体においては、記録層材料として、結晶相とアモルファス相（非晶質層）を有する材料を用いている。このような相変化記録層材料としてはＳｂＴｅ系合金，ＧｅＳｂＴｅ系合金，ＡｇＩｎＳｂＴｅ系合金，ＧａＧｅＳｂＴｅ系合金などがある。相変化記録層材料は結晶相とアモルファス相で光学特性が大きく異なるため、結晶相中にアモルファス相のマークを形成することによって情報を記録することが可能である。また、結晶相とアモルファス相とが可逆的な相転移をする場合は、書換え可能な光情報記録媒体となる。
【００７４】
［光情報記録方法］
結晶相中にアモルファスマークを形成するためには記録層又は記録層近傍に集光した光を照射及び走査することで行う。この時、前述した通り、強度変調をした光ビームを照射することで行う。
【００７５】
本実施の形態の光情報記録方法では、ＰＷＭ（Ｐｕｌｓｅ　Ｗｉｄｔｈ　Ｍｏｄｕｌａｔｉｏｎ）を光情報記録媒体に応用した記録マーク長、マーク間長変調方式で情報を記録するものとする。この記録方式では記録マークの長さとマーク間の長さとを基本クロック周期Ｔを単位として制御することにより情報を記録することができる。光情報記録媒体の記録方法の一つであるマーク位置変調方式よりも記録密度を高くすることが可能なため、高密度化できることが特徴であり、ＣＤ，ＤＤ（Ｄｏｕｂｌｅ　Ｄｅｎｓｉｔｙ）ＣＤで採用されるＥＦＭ，ＤＶＤで採用されるＥＦＭ＋などの光ディスクに採用されている変調方式である。記録マーク長、マーク間長変調方式は記録マーク長とマーク間長（以下、スペース長）とを正確に制御することが重要である。これらの変調方式では記録マーク長、スペース長ともに基本クロック周期Ｔに対してｎＴ（ｎは自然数）の時間的長さとする。
【００７６】
ＰＷＭ方式で記録を行う際、変調後の信号幅がｎＴである“０”信号（スペース）の記録又は書換えを行う場合の記録パルスについては、パワーレベルＰｅの連続光とする。
【００７７】
変調後の信号幅がｎＴである“１”信号（記録マーク）の記録又は書換えを行う場合の記録パルスのパターンとして、幾つかの例を挙げると、一例としては、図１や図２に示すように、時間幅ｘＴで加熱パルス用のパワーレベルＰｗであるフロントパルス部と、計（ｎ−ｎ’）回の時間幅ｙＴでパワーレベルＰｗの高レベルパルスとその高レベルパルスの間に時間幅（１−ｙ）Ｔで冷却パルス用のパワーレベルＰｂの低レベルパルスを有する１Ｔ周期のマルチパルス部と、時間幅ｚＴでパワーレベルＰｂであるエンドパルス部とで構成され、ｎ及びｎ’をｎ’≦ｎの正の整数、パワーレベルがＰｗ＞Ｐｅ＞Ｐｂであるレーザ光のマルチパルス列パターンとする低速向き１Ｔ周期型パターンの方法が挙げられる。図１は、ｎ＝６，ｎ’＝２の場合の例を示し、図２は、ｎ＝６，ｎ’＝３の場合の例を示す。
【００７８】
また、別の記録パルスのパターン例としては、図３及び図４に示すように、ｎが奇数のときと偶数のときとで異なるパターンを組合せて、ｎが偶数のときには、時間幅ｘ’Ｔで加熱パルス用のパワーレベルＰｗ’であるフロントパルス部と，計（（ｎ／２）−１）回の時間幅ｙ’ＴでパワーレベルＰｗ’の高レベルパルスとその高レベルパルスの間に時間幅（２−ｙ’）Ｔで冷却パルス用のパワーレベルＰｂ’の低レベルパルスを有する２Ｔ周期のマルチパルス部と、時間幅ｚ’ＴでパワーレベルＰｂ’であるエンドパルス部とで構成され、パワーレベルがＰｗ’＞Ｐｅ＞Ｐｂ’であるレーザ光のマルチパルス列パターンとし、ｎが奇数のときには、マルチパルス部を、計（（（ｎ−１）／２）−１）回の時間幅ｙ’Ｔの高レベルパルスとその高レベルパルスの間に時間幅（２−ｙ’）Ｔの低レベルパルスを有する２Ｔ周期のマルチパルス部で構成されるマルチパルス列パターンとする高速向き２Ｔ周期型パターンの方法が挙げられる。図３はｎ＝６（偶数）、図４はｎ＝７（奇数）の場合の例を示す。
【００７９】
このような２Ｔ周期型パターンは、マルチパルス列パターンを用いてレーザ光を発光させて記録する上で、記録線速度が速くなると基本クロック周波数が高くなり、レーザ光源の立上り、立下り時間が間に合わなくなることから創案された高速向きパルスパターンである。従って、これらの種類の異なるパルスパターンは、同一構成の光情報記録媒体について適用可能であるが、その記録可能な線速度範囲は異なることとなる。逆にいえば、これらの１Ｔ周期型パターンと２Ｔ周期型パターンとは、適用線速度範囲の異なる複数種類のパルスパターンとなる。もっとも、これらの種類の異なるパルスパターンにおいては、同一構成の光情報記録媒体であっても、適用線速度範囲はもちろん、各々の記録線速度における最適なパルス幅の係数（上記の例におけるｘ，ｘ’，ｙ，ｙ’，ｚ，ｚ’）や最適なパワーレベル（上記の例におけるＰｗ，Ｐｗ’，Ｐｅ，Ｐｂ，Ｐｂ’）は異なってくる。
【００８０】
従って、同一構成の光情報記録媒体にこれらの１Ｔ周期型パターンと２Ｔ周期型パターンとの双方のパラメータ情報をその適用線速度範囲とともに記録条件情報として以下のように予めプリフォーマットしておけば、その光情報記録媒体が装填される光情報記録装置にこれらの記録条件情報を提供し、後述するような記録条件決定方法に利用することが可能となる。
【００８１】
［光情報記録媒体］
本実施の形態は、光情報記録媒体にこれらの適用線速度範囲の異なる複数種類のパルスパターンとして、少なくとも、１Ｔ周期型パターンと２Ｔ周期型パターンとの双方に関する記録条件情報をプリフォーマットしておくことを特徴の一つとする。
【００８２】
まず、プリフォーマットに先立ち、本実施の形態に好適な光情報記録媒体１の積層構造等について図５を参照して説明する。基本的な構成しては、同心円又は螺旋状の案内溝を有する透明基板２上に、下部保護層３、相変化型記録層４、上部保護層５、反射層６、オーバーコート層７を有する。さらに、オーバーコート層７上には印刷層８、基板の鏡面側にはハードコート層９を有しても良い。
【００８３】
また、このような単板ディスク１ａを、接着層１０を介して貼合わせた構造としても良い。貼合わせる反対面のディスク１ｂは、同様の単板ディスクでも、透明基板のみでも良い。また、単板ディスク１ａに印刷層８を形成せずに貼合わせ、貼合わせ後に反対面側に印刷層８’を形成しても良い。
【００８４】
基板２の材料は、通常ガラス、セラミックス或いは樹脂であり、樹脂基板が成形性、コストの点で好適である。樹脂の例としてはポリカーボネート樹脂、アクリル樹脂、エポキシ樹脂、ポリスチレン樹脂、アクリロニトリル−スチレン共重合体樹脂、ポリエチレン樹脂、ポリプロピレン樹脂、シリコーン系樹脂、フッ素系樹脂、ＡＢＳ樹脂、ウレタン樹脂などが挙げられるが、成形性、光学特性、コストの点で優れるポリカーボネート樹脂、アクリル系樹脂が好ましい。
【００８５】
相変化型記録層４の材料としては、結晶−アモルファス相間の相変化を起こし、各々が安定化又は準安定化状態をとることができるＳｂ，Ｔｅを含む相変化型記録材料が、記録（アモルファス化）感度・速度、消去（結晶化）感度・速度、及び消去比が良好なため適している。このＳｂＴｅ材料に、Ｇａ，Ｇｅ，Ａｇ，Ｉｎ，Ｂｉ，Ｃ，Ｎ，Ｏ，Ｓｉ，Ｓなどの元素を添加することで、記録・消去感度や信号特性、信頼性などを改善することができる。そのため、目的とする記録線速度及び線速度領域により、添加する元素や材料の組成比を調整して、最適な記録線速度を制御すると同時に、記録した信号の再生安定性や信号の寿命（信頼性）を確保することが望ましい。本実施の形態で用いられる相変化型の光情報記録媒体１においては、これらの特性を総合的に満足できる記録層の材料として、構成元素にＡｇ及び／又はＧｅ，Ｇａ及び／又はＩｎ，Ｓｂ，Ｔｅを含んでおり、これらの元素の組成比（Ａｇ及び／又はＧｅ）α（Ｇａ及び／又はＩｎ）βＳｂγＴｅδ（α，β，γ，δは原子％）が、α＋β＋γ＋δ＝１００としたときに、
０＜α≦６
２≦β≦１０
６０≦γ≦８５
１５≦δ≦２７
である材料が、信号の再生安定性や信号の寿命が優れており、好適である。
【００８６】
相変化型記録層４の膜厚としては１０〜５０ｎｍ、好適には１２〜３０ｎｍとするのが良い。さらにジッタ等の初期特性、オーバーライト特性、量産効率を考慮すると、好適には１４〜２５ｎｍとするのが良い。１０ｎｍより薄いと光吸収能が著しく低下し、記録層としての役割を果たさなくなる。また、５０ｎｍより厚いと高速で均一な相変化が起こりにくくなる。このような相変化型記録層４は、各種気相成長法、例えば真空蒸着法、スパッタリング法、プラズマＣＶＤ法、光ＣＶＤ法、イオンプレーティング法、電子ビーム蒸着法などによって形成できる。中でも、スパッタリング法が、量産性、膜質等に優れている。
【００８７】
このような相変化型記録層４の下層及び上層には保護層３，５が形成される。保護層３，５の材料としては、ＳｉＯ，ＳｉＯ２，ＺｎＯ，ＳｎＯ２，Ａｌ２Ｏ３，ＴｉＯ２，Ｉｎ２Ｏ３，ＭｇＯ，ＺｒＯ２などの金属酸化物、Ｓｉ３Ｎ４，ＡｌＮ，ＴｉＮ，ＢＮ，ＺｒＮなどの窒化物、ＺｎＳ，Ｉｎ２Ｓ３，ＴａＳ４などの硫化物、ＳｉＣ，ＴａＣ，ＢＣ，ＷＣ，ＴｉＣ，ＺｒＣなどの炭化物やダイヤモンド状カーボン或いはそれらの混合物が挙げられる。これらの材料は、単体で保護層とすることもできるが、互いの混合物としても良い。必要に応じて不純物を含んでも良い。また、単層でなく、２層以上を積層した構造としても良い。ただし、保護層の融点は、相変化型記録層よりも高いことが必要である。このような保護層３，５は、各種気相成長法、例えば真空蒸着法、スパッタリング法、プラズマＣＶＤ法、光ＣＶＤ法、イオンプレーティング法、電子ビーム蒸着法などによって形成できる。中でも、スパッタリング法が量産性、膜質等に優れている。
【００８８】
下部保護層３の膜厚は、反射率、変調度や記録感度に大きく影響する。良好な信号特性を得るためには、６０〜１２０ｎｍとすることが要求される。上部保護層５の膜厚としては、５〜４５ｎｍ、好適には７〜４０ｎｍとするのが良い。５ｎｍより薄くなると耐熱性保護層としての機能を果たさなくなり、また、記録感度の低下を生じる。一方、４５ｎｍより厚くなると、界面剥離を生じやすくなり、繰返し記録性能も低下する。
【００８９】
反射層６としては、Ａｌ，Ａｕ，Ａｇ，Ｃｕ，Ｔａ，Ｔｉ，Ｗなどの金属材料、又はこれらの元素を含む合金などを用いることができる。また、耐腐食性の向上、熱伝導率の改善などのために、上記材料に対してＣｒ，Ｔｉ，Ｓｉ，Ｃｕ，Ａｇ，Ｐｄ，Ｔａなどの元素を添加しても良い。添加比率は、０．３〜２ａｔ％とするのが適している。０．３ａｔ％より少ないと、耐腐食性の効果に劣る。２ａｔ％より多くなると、熱伝導率が下がりすぎ、アモルファス状態を形成し難くなる。このような反射層６は、各種気相成長法、例えば真空蒸着法、スパッタリング法、プラズマＣＶＤ法、光ＣＶＤ法、イオンプレーティング法、電子ビーム蒸着法などによって形成できる。合金又は金属層の膜厚としては、５０〜２００ｎｍ、好適には７０〜１６０ｎｍとするのが良い。また、合金又は金属層を多層化することも可能である。多層化した場合では、各層の膜厚は少なくとも１０ｎｍ以上必要で、多層化膜の合計膜厚は５０〜１６０ｎｍとするのが良い。
【００９０】
反射層６の上には、その酸化防止のためにオーバーコート層７が形成される。オーバーコート層７としては、スピンコートで作製した紫外線硬化型樹脂が一般的である。その厚さは、３〜１５μｍが適当である。３μｍより薄くすると、オーバーコート層７上に印刷層８を設ける場合、エラーの増大が認められることがある。一方、１５μｍより厚くすると、内部応力が大きくなってしまい、ディスクの機械特性に大きく影響してしまう。
【００９１】
ハードコート層９としては、スピンコートで作製した紫外線硬化型樹脂が一般的である。その厚さは、２〜６μｍが適当である。２μｍより薄くすると、十分な耐擦傷性が得られない。６μｍより厚くすると、内部応力が大きくなってしまい、ディスクの機械特性に大きく影響してしまう。その硬度は、布でこすっても大きな傷がつかない鉛筆硬度であるＨ以上とする必要がある。必要に応じて、導電性の材料を混入させ、帯電防止を図り、埃等の付着を防止することも効果的である。
【００９２】
印刷層８は、耐擦傷性の確保、ブランド名などのレーベル印刷、インクジェットプリンタに対するインク受容層の形成などを目的としており、紫外線硬化型樹脂をスクリーン印刷法にて形成するのが一般的である。その厚さは、３〜５０μｍが適当である。３μｍより薄くすると、層形成時にムラが生じてしまう。５０μｍより厚くすると、内部応力が大きくなってしまい、ディスクの機械特性に大きく影響してしまう。
【００９３】
接着層１０としては、紫外線硬化型樹脂、ホットメルト接着剤、シリコーン樹脂などの接着剤を用いることができる。このような接着層１０の材料は、オーバーコート層７又は印刷層８上に、材料に応じて、スピンコート、ロールコート、スクリーン印刷法などの方法により塗布し、紫外線照射、加熱、加圧等の処理を行って反対面のディスク１ｂと貼合せる。反対面のディスク１ｂは、同様の単板ディスクでも透明基板のみでも良く、反対面ディスク１ｂの貼合せ面については、接着層１０の材料を塗布してもしなくても良い。また、接着層１０としては、粘着シートを用いることもできる。接着層１０の膜厚は特に制限されるものではないが、材料の塗布性、硬化性、ディスクの機械特性の影響を考慮すると５〜１００μｍが好適である。接着面の範囲は特に制限されるものではないが、ＤＶＤ及び／又はＣＤ互換が可能な光情報記録媒体に応用する場合、接着強度を確保するためには内周端の位置がΦ１５〜４０ｍｍ、好適にはΦ１５〜３０ｍｍであることが望ましい。
【００９４】
次に、記録条件情報のプリフォーマットについて説明する。プリフォーマットは任意の手法を用いることができ、プリピット法、ウォブルエンコード法、フォーマット法がある。プリピット法は光情報記録媒体上の任意の領域にＲＯＭピットを用いて記録条件に関する情報をプリフォーマットする手法である。基板成形時にＲＯＭピットが形成されるため量産性に優れ、かつ、ＲＯＭピットを用いているので、再生信頼性及び情報量の点で有利である。しかし、ＲＯＭピットを形成する技術（即ち、ハイブリッド技術）は課題が多く、ＲＷ系のプリピットによるプリフォーマット技術は困難とされている。
【００９５】
フォーマット法は、光情報記録装置を用いて通常の記録と同様の手法を用いて情報を記録しておくものである。しかし、この手法は、光情報記録媒体を製造後、各媒体にフォーマットを施す必要があり、量産性の点から困難である。さらに、プリフォーマット情報を書換えることが可能であるため、媒体固有の情報を記録する手法としては適切ではない。
【００９６】
ウォブルエンコード法は、ＣＤ−ＲＷ，ＤＶＤ＋ＲＷで実際に採用されている手法である。この手法は光情報記録媒体のアドレス情報をグルーブ（媒体上の案内溝）のウォブリングにエンコードする技術を利用している。エンコードの方法としては、ＣＤ−ＲＷのＡＴＩＰのように周波数変調を用いても、ＤＶＤ＋ＲＷのように位相変調を用いても良い。ウォブルエンコード法は、光情報記録媒体の基板成形時にアドレス情報と一緒に基板に作成されるため、生産性に優れると同時に、プリピット法のような特殊なＲＯＭピットを形成する必要がないため、基板成形も容易に行えるという利点がある。
【００９７】
いま、上述したような記録ストラテジに関するパラメータのプリフォーマット例について、ＣＤ−ＲＷの例で説明する。図６及び図７にＣＤ−ＲＷ規格の光情報記録媒体１の各々の領域のフォーマット例を示す。円盤状の光情報記録媒体１において、グルーブが形成されたグルーブ形成領域には、半径方向内周側から外周側に向けて、内周部未使用領域１２、テスト記録領域１３、リードイン領域１４、情報記録領域１５、リードアウト領域１６、外周部未使用領域１７が順に割当てられている。
【００９８】
このようなＣＤ−ＲＷなる光情報記録媒体１の場合、プリフォーマットされるメディア情報はＡＴＩＰ　Ｅｘｔｒａ　Ｉｎｆｏｒｍａｔｉｏｎである。ＡＴＩＰ　Ｅｘｔｒａ　Ｉｎｆｏｒｍａｔｉｏｎはアドレス情報を示すＡＴＩＰを利用した手法である。ＡＴＩＰはＣＤ−ＲＷディスクにプリフォーマットされたアドレス情報である。ＣＤ系のディスクは音楽情報媒体がベースとなった経緯からアドレスは時間情報として表されるため、Ｍ：Ｓ：Ｆで表される。ここで、Ｍは分であり、規格上００〜９９の範囲をとることが可能であり、Ｓは秒に相当し、００〜５９の範囲をとり、Ｆはフレームであり、００〜７４の範囲をとる。１分＝６０秒であり、１秒＝７５フレームに相当する。Ｍ，Ｓ，Ｆには各々８ｂｉｔの情報が与えられるため、１ＡＴＩＰフレームの情報量は２４ｂｉｔとなる。Ｍ，Ｓ，Ｆ各々について、０〜２５５の値を与えることが可能であるが、実際には前述の範囲しか利用していない。そのため、使用していないｂｉｔを利用すればアドレス以外の情報を付加することが可能となる。この方法を利用したのがＡＴＩＰ　Ｅｘｔｒａ　Ｉｎｆｏｒｍａｔｉｏｎである。
【００９９】
１ＡＴＩＰフレームのデータフォーマットは図８に示す通り４２ｂｉｔの情報からなる。最初の４ｂｉｔは同期部と呼ばれ、フレームの開始を示す部分である。情報記録装置がＡＴＩＰを再生するときにこの同期部をフレームの開始として認識するために同期パターンという特殊なパターンで構成される。同期部に続く５〜２８ｂｉｔ目までの２４ｂｉｔがアドレス情報部である。２４ｂｉｔはさらに８ｂｉｔずつの３つの部分に分割されており、Ｍ１〜Ｍ８の部分がアドレス情報のＭ（即ち、分）を表し、Ｓ１〜Ｓ８の部分がアドレス情報のＳ（即ち、秒）を表し、Ｆ１〜Ｆ８の部分がアドレス情報のＦ（即ち、フレーム）を表す。アドレス情報部に続く２９〜４２ｂｉｔ目までの１４ｂｉｔが「ＣＩＲＣ　Ｒｅｍａｉｎｄｅｒ」と呼ばれる部分である。ＣＩＲＣ（Ｃｒｏｓｓ　Ｉｎｔｅｒｌｅｖｅｄ　Ｒｅｅｄ−Ｓｏｌｏｍｏｎ　Ｃｏｄｅ）を用いた誤り訂正の符号に相当する。
【０１００】
ＣＤ−ＲＷの標準規格ではアドレス情報のうち、Ｍ１，Ｓ１，Ｆ１の組合せにより、アドレス情報部の内容を以下の７種に分類している。
【０１０１】
（Ｍ１，Ｓ１，Ｆ１）　＝　（０，０，０）又は（１，０，０）：通常アドレス
（Ｍ１，Ｓ１，Ｆ１）　＝　（１，０，１）：Ｓｐｅｃｉａｌ　Ｉｎｆｏｒｍａｔｉｏｎ　１
（Ｍ１，Ｓ１，Ｆ１）　＝　（１，１，０）：Ｓｐｅｃｉａｌ　Ｉｎｆｏｒｍａｔｉｏｎ　２
（Ｍ１，Ｓ１，Ｆ１）　＝　（１，１，１）：Ｓｐｅｃｉａｌ　Ｉｎｆｏｒｍａｔｉｏｎ　３
（Ｍ１，Ｓ１，Ｆ１）　＝　（０，０，１）：Ａｄｄｉｔｉｏｎａｌ　Ｉｎｆｏｒｍａｔｉｏｎ　１
（Ｍ１，Ｓ１，Ｆ１）　＝　（０，１，０）：Ａｄｄｉｔｉｏｎａｌ　Ｉｎｆｏｒｍａｔｉｏｎ　２
（Ｍ１，Ｓ１，Ｆ１）　＝　（０，１，１）：Ａｄｄｉｔｉｏｎａｌ　Ｉｎｆｏｒｍａｔｉｏｎ　３
これらの情報のうち、通常アドレス以外の情報をＡＴＩＰ　Ｅｘｔｒａ　Ｉｎｆｏｒｍａｔｉｏｎとしている。これらのＡＴＩＰ　Ｅｘｔｒａ　Ｉｎｆｏｒｍａｔｉｏｎにはディスク固有の情報が与えられており、その例としては、ディスクの種類に関する情報、記録条件（記録パワーや最適記録パワーを設定するためのパラメータ、ストラテジを規定するパラメータ）などがある。
【０１０２】
ＡＴＩＰ　Ｅｘｔｒａ　Ｉｎｆｏｒｍａｔｉｏｎは光情報記録媒体１のリードイン領域４に入れられており、通常アドレスが９フレーム続いた後にＡＴＩＰ　Ｅｘｔｒａ　Ｉｎｆｏｒｍａｔｉｏｎが１フレーム付加される。即ち、６種類のＡＴＩＰ　Ｅｘｔｒａ　Ｉｎｆｏｒｍａｔｉｏｎを再生するためには、リードイン領域４を少なくとも６０フレーム再生する必要があることになる。
【０１０３】
ここで、本実施の形態の情報記録方法におけるマルチパルス型パターン（記録ストラテジ）を規定するパラメータとして、図１に示したような１Ｔ周期型パターンと図３及び図４に示したような２Ｔ周期型パターンとの２種類のパルスパターンに関して、各々の記録線速度における最適なパルス幅の係数ｘ又はｘ’，ｙ又はｙ’，ｚ又はｚ’や最適なパワーレベルを規定するための最適なバイアスパワーＰｂ又はＰｂ’といった情報及び各々のパルスパターンで当該光情報記録媒体１に記録可能な線速度に関する情報（最低線速度〜最高線速度＝記録線速度情報）が光情報記録媒体１に予めプリフォーマットされている。これらの情報は例えばＡＴＩＰ　Ｅｘｔｒａ　ＩｎｆｏｒｍａｔｉｏｎのうちのＡｄｄｉｔｉｏｎａｌ　Ｉｎｆｏｒｍａｔｉｏｎ　１に入れられる。
【０１０４】
また、良好な記録を行うために記録条件に関する情報として使用するパラメータとしては、これらの記録可能な線速度や、パルスパターンにおける最適なパルス幅の他に、最適なパワーレベルＰｗ又はＰｗ´を決定するための試し書き記録方法（Ｏｐｔｉｍｕｍ　Ｐｏｗｅｒ　Ｃｏｎｔｒｏｌ；ＯＰＣ）に関するパラメータ情報も挙げられる。ＯＰＣについての具体的な例については、例えば特許第３０８１５５１号公報や特許第３１２４７２１号公報などに挙げられており、該公報の手法を用いる場合には、記録信号振幅（変調度）ｍの変化量を記録パワーＰｗで規格化した傾斜をｇ（Ｐ）としたとき、記録パワーＰｓの場合における傾斜ｇ（Ｐ）の値である特定値Ｓや、Ｐｓに乗じて最適記録パワーを算出するための係数Ｒ、パワーレベル比Ｅ（＝Ｐｅ／Ｐｗ（Ｐｗ’））、テスト記録を特定の記録パワーを中心として前後２０％程度のパワー範囲を変動させて行う際に参照する特定の記録パワーＰｗｉなどを設定する必要があり、本実施の形態では、これらの試し書きに関するパラメータ情報も併せてプリフォーマットされている。
【０１０５】
なお、これらのパラメータは、各パルスパターンの種類や、記録する線速度など、記録条件の各組合せ毎に設定することになるため、あらゆるパルスパターンに対応する場合、必要とされる記録条件に関する情報のパラメータ数は非常に多くなってしまう。しかし、本実施の形態のように、適用線速度範囲が異なるパルスパターンを例えば前述のような１Ｔ周期の部分を含む１Ｔ周期型パターンと２Ｔ周期の部分を含む２Ｔ周期型パターンとに限定することで、パラメータ数を減らすことができるため、光情報記録媒体１にプリフォーマットし、記録する際に光情報記録装置にて読取ることが必要とされる情報の量を絞り込むことができる。
【０１０６】
ところで、ウォブルエンコードによる手法では、他の手法と比較すると絶対的な情報量が少なくなる傾向にある。通常、ウォブル周波数は記録情報の周波数に対して、相互干渉が起こらない周波数帯域をとる。周波数で３０分の１以下、さらに好ましくは１００分の１以下である。さらに、変調方式に周波数変調を用いるとさらに情報密度が低下し、ＣＤ−ＲＷのＡＴＩＰ　ＥＸＴＲＡ　ＩＮＦＯＲＭＡＩＴＩＯＮのように、アドレス情報の冗長性を利用した場合はさらに情報密度が低下してしまう。
【０１０７】
もっとも、情報量が不足した場合は、新たな領域を設けても良い。ＣＤ−ＲＷの場合は、リードイン領域１４にＡＴＩＰ　ＥＸＴＲＡ　ＩＮＦＯＲＭＡＴＩＯＮがエンコードされているが、この領域のみで不足する場合は、ディスク内周部又は外周部の未使用領域１２又は１７にエンコードしても良い。未使用領域１２，１７の例としては、ＰＣＡ（Ｐｏｗｅｒ　Ｃａｌｉｂｒａｔｉｏｎ　Ａｒｅａ＝テスト記録領域）よりも内周部やリードアウト領域６の外周部を挙げることができる。
【０１０８】
さらには、情報記録領域１５の一部にプリフォーマットさせるようにしてもよい。この方式によれば、既存の光情報記録媒体であっても、これらの記録条件情報を任意の時点でプリフォーマットすることができる。
【０１０９】
或いは、当該光情報記録媒体１の表面の一部にバーコード、２次元コード等のコード情報として表記させることで、プリフォーマットさせるようにしてもよい。この方式によれば、既存の光情報記録媒体であっても、記録条件情報を後付けによりプリフォーマットすることができる。もっとも、プリフォーマット情報の読取りにはバーコードスキャナ等を必要とする。
【０１１０】
また、エンコードされるパラメータは、実数を２進数に変換した値をエンコードしてもよく、変換テーブルを用いて変換した情報をエンコードしても良い。ただし、何れの方法を用いても光情報記録装置上では、エンコードした情報をデコードし、正しく記録ストラテジを設定することができる手段が必要である。
【０１１１】
何れにしても、どのようなプリフォーマット方法を用いるかについては、記録条件に関する情報として必要なパラメータ数、変更させる頻度、光情報記録媒体１の作製方法としての難易度などにより、適切な手段を用いれば良い。中でも、案内溝のウォブリング変調により情報を入力する方法が、光情報記録媒体１の基板成形が比較的容易であるため、望ましい。
【０１１２】
［光情報記録装置］
次に、前述した記録ストラテジによる情報記録方法及び後述の記録条件決定方法を実現するための光情報記録装置の構成例について、図９を参照して説明する。
【０１１３】
まず、光情報記録媒体１に対して、この光情報記録媒体１を回転駆動させるスピンドルモータ２１を含む回転制御機構２２が設けられているとともに、光情報記録媒体１に対してレーザ光を集光照射させる対物レンズや半導体レーザＬＤ２３等のレーザ光源を備えた光ヘッド２４がディスク半径方向にシーク移動自在に設けられている。光ヘッド２４の対物レンズ駆動装置や出力系に対してはアクチュエータ制御機構２５が接続されている。このアクチュエータ制御機構２５にはプログラマブルＢＰＦ２６を含むウォブル検出部２７が接続されている。ウォブル検出部２７には検出されたウォブル信号からアドレスを復調するアドレス復調回路２８が接続されている。このアドレス復調回路２８にはＰＬＬシンセサイザ回路２９を含む記録クロック生成部３０が接続されている。ＰＬＬシンセサイザ回路２９には速度制御手段としてのドライブコントローラ３１が接続されている。
【０１１４】
システムコントローラ３２に接続されたこのドライブコントローラ３１には、回転制御機構２２、アクチュエータ制御機構２５、ウォブル検出部２７及びアドレス復調回路２８も接続されている。
【０１１５】
また、システムコントローラ３２はＣＰＵ等を備えた、いわゆるマイコン構成のものであり、エンコードされたデータの変換用の変換テーブル３３ａ等を含むＲＯＭ３３を備えている。また、このシステムコントローラ３２は、ＥＦＭエンコーダ３４、マーク長カウンタ３５、パルス数制御部３６が接続されている。これらのＥＦＭエンコーダ３４、マーク長カウンタ３５、パルス数制御部３６及びシステムコントローラ３２には、発光波形制御手段となる記録パルス列制御部３７が接続されている。この記録パルス列制御部３７は、記録ストラテジにより規定されるマルチパルス（加熱パルス、冷却パルス）を生成するマルチパルス生成部３８と、エッジセレクタ３９と、パルスエッジ生成部４０とが含まれている。
【０１１６】
この記録パルス列制御部３７の出力側には、記録パワーＰｗ、消去パワーＰｅ、バイアスパワーＰｂの各々の駆動電流源４１をスイッチングすることで光ヘッド２４中の半導体レーザＬＤ２３を駆動させる光源駆動手段としてのＬＤドライバ部４２が接続されている。
【０１１７】
このような構成において、基本的には、光情報記録媒体１に対して記録又は書換えをするためには、目的の記録速度に対応する記録線速度となるようにスピンドルモータ２１の回転数をドライブコントローラ３１による制御の下、回転制御機構２２により制御した後に、光ヘッド２４から得られるプッシュプル信号からプログラマブルＢＰＦ２６によって分離検出されたウォブル信号からアドレス復調するとともに、ＰＬＬシンセサイザ回路２９によって記録チャネルクロックを生成する。次に、半導体レーザＬＤ２３による記録パルス列を発生させるため、記録パルス列制御部３７には記録チャネルクロックと記録情報であるＥＦＭデータが入力され、記録パルス列制御部３７中のマルチパルス生成部３８により図１又は図３及び図４に示したような記録ストラテジに従うマルチパルス列パターンを生成し、ＬＤドライバ部４２で前述のＰｗ，Ｐｅ，Ｐｂなる各々の照射パワーとなるように設定された駆動電流源４１をスイッチングすることで、記録パルス列に従うＬＤ発光波形を得ることができる。
【０１１８】
ところで、本実施の形態では、記録パルス列制御部３７中に、記録チャネルクロック周期の１／２０の分解能を有する多段のパルスエッジ生成部４０を配置しており、エッジセレクタ（マルチプレクサ）３９に入力された後、システムコントローラ３２によって選択されたエッジパルスによってフロントパルス部用の立上り制御信号等を生成する。パルスエッジ生成部４０用の多段遅延回路は、高分解能のゲート遅延素子やリングオシレータとＰＬＬ回路によって構成することができる。
【０１１９】
このように生成されたフロントパルス用の立上り制御信号を基準に、ｘ又はｘ’、ｙ又はｙ’、ｚ又はｚ’等に基づき基準クロック周期Ｔに同期したマルチパルス列パターンが生成される。
【０１２０】
また、本実施の形態のような構成の記録パルス列制御部３７では、ＥＦＭエンコーダ３４から得られるＥＦＭ信号のマーク長を計数するためのマーク長カウンタ３５が配置されており、記録ストラテジとして２Ｔ周期型パターンを用いる場合には、そのマークカウント値が２Ｔ増加する毎に１組のパルス（パワーＰｗによるオンパルスとパワーＰｂによるオフパルス）とが生成されるようにパルス数制御部３６を介してマルチパルスを生成するようにしている。この動作は、フロントパルス部用のパルスの後エッジをエッジセレクタ３９で選択した後、次の記録チャネルクロック周期から生成されるエッジパルスで後続のマルチパルスの前エッジを選択し、その次の記録チャネルクロック周期から生成されるパルスエッジでそのマルチパルスの後エッジを選択することで可能となる。
【０１２１】
別のマルチパルス生成部の構成としては、記録ストラテジとして２Ｔ周期型パターンを用いる場合には、記録チャネルクロックを２分周した記録分周クロックを生成し、これを多段遅延回路を用いてエッジパルスを生成し、エッジセレクタで前後のエッジを選択することで記録チャネルクロックが２Ｔ増加する毎に１組のパルス（パワーＰｗによる加熱パルスとパワーＰｂによる冷却パルス）を生成することもできる。この構成の場合、マルチパルス生成部の実質的な動作周波数は１／２となり、さらに高速記録動作が可能となる。
【０１２２】
［記録条件決定方法］
ＲＷ系の光情報記録媒体１に対応した本実施の形態の光情報記録装置は、当該光情報記録媒体１への記録動作時（媒体をマウントした場合も含む）に、上記のＡＴＩＰ　Ｅｘｔｒａ　Ｉｎｆｏｒｍａｔｉｏｎを再生する。即ち、ＲＷ系の光情報記録媒体１に対応した光情報記録装置では、Ａｄｄｉｔｏｎａｌ　Ｉｎｆｒｏｍａｔｉｏｎ　１を再生できることが必要であり、さらにそのｂｉｔを実数に変換するための変換テーブルを有することが必要である。光情報記録装置はＡｄｄｉｔｏｎａｌ　Ｉｎｆｒｏｍａｔｉｏｎ　１を再生し各ｂｉｔの値を光情報記録媒体１から得る。そのｂｉｔ情報に対して変換テーブル３３ａを用いてパラメータの実数を取得することができる。光情報記録装置はこれらのパラメータの実数値を基に、当該光情報記録装置と任意の光情報記録媒体１との任意の組合せにおいて最適な記録ストラテジを設定することができる。
【０１２３】
ここに、本実施の形態では、記録条件決定方法として、光情報記録装置に装填された光情報記録媒体１に対する記録動作に先立ち当該媒体１にプリフォーマットされた各々のパルスパターンの記録条件情報を読出し、読出された記録条件情報と光情報記録媒体１が装填された当該光情報記録装置で記録可能な線速度情報を含む性能に関する記録条件情報とを比較し、比較の結果、所望の最適条件を満たす記録条件情報を選択し、選択された記録条件情報に基づきレーザ光の発光に用いるマルチパルス列パターンを生成するようにしている。
【０１２４】
ここに、所望の最適条件としては、
▲１▼　光情報記録媒体１の記録条件情報と当該光情報記録装置の記録条件情報との比較において記録可能な条件のうちで最高線速度となる条件
▲２▼　或る一種類のパルスパターンに特定された記録条件下において、光情報記録媒体１の記録条件情報と当該光情報記録装置の記録条件情報との比較において記録可能な条件のうちで最高線速度となる条件
▲３▼　或る一種類のパルスパターンの或る線速度に特定された記録条件下において、光情報記録媒体１の記録条件情報と当該光情報記録装置の記録条件情報との比較において記録可能であれば当該記録条件を有効とする条件
▲４▼　光情報記録媒体１の記録条件情報と当該光情報記録装置の記録条件情報との比較において記録可能な条件のうちで記録状態が最も安定する条件
などが考えられる。
【０１２５】
このような記録条件決定方法並びに記録動作に至るまでの処理手順の概要を図１０に示す概略フローチャートを参照して説明する。この処理は、例えば光情報記録装置においてシステムコントローラ３２により実行される。まず、当該光情報記録装置に光情報記録媒体１が装填されたか否かがチェックされる（ステップＳ１）。光情報記録媒体１が装填された場合には（Ｓ１のＹ）、記録動作に先立ち当該媒体１にプリフォーマットされた各々のパルスパターンの記録条件情報を光ヘッド２４を用いて再生する（Ｓ２）。即ち、記録条件情報が記録されているアドレスにアクセスし、そのプリフォーマット情報を再生する。このステップＳ２の処理が読出すステップ又は読出し手段の機能として実行される。読出し後、自己の光情報記録装置において記録可能な線速度情報を含む性能に関する記録条件情報を呼出し（Ｓ３）、再生された光情報記録媒体１に関する記録条件情報と当該光情報記録装置に関する記録条件情報とを照合比較し（Ｓ４）、照合比較の結果、前述したような予め設定された所望の最適条件を満たす記録条件情報を選択する（Ｓ５）。即ち、所望の最適条件を満たすパルスパターンと記録線速度とを決定する。このステップＳ４の処理が比較するステップ又は比較手段の機能として実行され、ステップＳ５の処理が選択するステップ又は選択手段の機能として実行される。
【０１２６】
そして、選択されたパルスパターンに対応するプリフォーマット情報（パラメータ情報）に基づき最適なマルチパルス列パターンとなるように記録ストラテジを生成して設定する（Ｓ６）。この際、必要に応じて、変換テーブル３３ａを用いて各パラメータ情報を例えばｂｉｔ情報から実数情報に変換する。このステップＳ６の処理が生成するステップ又は生成手段の機能として実行される。この後、必要に応じて、最適記録パワーの設定処理を行う（Ｓ７）。即ち、設定された記録ストラテジの妥当性検証と最適な記録パワーを設定するために行う試し書きであり、試し書きの例として、ＣＤ−Ｒ／ＲＷ，ＤＶＤ＋ＲＷ／Ｒで採用されているＯＰＣ（Ｏｐｔｉｍｕｍ　Ｐｏｗｅｒ　Ｃｏｎｔｒｏｌ）を用いても良い。このＯＰＣ動作に関してもプリフォーマット情報を用いればよい。このステップＳ７の処理が試し書き手段の機能として実行される。これらの処理により、記録条件（記録線速度及び記録ストラテジ）が決定されるので、このように設定された記録ストラテジ（パルスパターン）及び記録線速度に従いＬＤドライバ部４２及びドライブコントローラ３１を制御することで実際に記録動作が実行される（Ｓ８）。
【０１２７】
なお、選択された記録条件に基づき当該光情報記録媒体１のテスト記録領域にテスト記録を行い、記録された記録マークの信号特性の適正度の結果に基づきその記録条件を採用するか否かの最終決定を行うステップないしは最終決定手段の機能を付加してもよい。
【０１２８】
このような記録条件決定方法について、図１１を参照して具体例で説明する。前述した図１に示したような１Ｔ周期の部分を含む１Ｔ周期型パターンＡと図３及び図４に示したような２Ｔ周期の部分を含む２Ｔ周期型パターンＢとの２種類のパルスパターンについての記録条件情報が予めプリフォーマットされたＤＶＤ再生互換性を持つ相変化型光情報記録媒体Ｃを作製し、この相変化型光情報記録媒体Ｃから記録条件情報を読取り、当該相変化型光情報記録媒体Ｃの記録可能な条件と光情報記録装置自身の持つ記録可能な線速度情報を含む性能に関する記録条件情報との照合比較に基づいて記録条件を選択し（決定し）、当該相変化型光情報記録媒体Ｃへの記録又は書換えを実行するＤＶＤ記録用の光情報記録装置Ｄを用いて記録又は書換えを実行する場合を想定する。
【０１２９】
ここで、相変化型光情報記録媒体Ｃにプリフォーマットされた記録条件情報としては、１Ｔ周期型パターンＡでは、最低記録線速度を３．５ｍ／ｓ（ＤＶＤ−ＲＯＭ再生の１倍速相当）、最高記録線速度を１４．０ｍ／ｓ（ＤＶＤ−ＲＯＭ再生の４倍速相当）、２Ｔ周期型パターンＢでは、最低記録線速度を７．０ｍ／ｓ（ＤＶＤ−ＲＯＭ再生の２倍速相当）、最高記録線速度を２１．０ｍ／ｓ（ＤＶＤ−ＲＯＭ再生の６倍速相当）とし、各々の最低及び最高記録線速度におけるパルス幅の係数ｘ，ｘ’，ｙ，ｙ’，ｚ，ｚ’と、パルスのパワーレベルＰｂ，Ｐｂ’と、パワーレベルＰｗ，Ｐｗ’，Ｐｅを決定するためのＯＰＣパラメータとして、特定値Ｓ、Ｐｓに乗じて最適記録パワーを算出するための係数Ｒ、パワーレベル比Ｅ（＝Ｐｅ／Ｐｗ（Ｐｗ’））、テスト記録を特定の記録パワーを中心として前後２０％程度のパワー範囲を変動させて行う際に参照する特定の記録パワーＰｗｉが設定されているものとする。このときの各パラメータとしては、例えば実施例で後述する表１に示したようなものが用いられる。
【０１３０】
また、光情報記録記録装置Ｄが有する記録可能な記録条件の情報としては、記録可能な線速度範囲が、１Ｔ周期型パターンＡでは３．５〜１０．５ｍ／ｓ（ＤＶＤ−ＲＯＭ再生の１〜３倍速相当）、２Ｔ周期型パターンＢでは３．５〜２１．０ｍ／ｓ（ＤＶＤ−ＲＯＭ再生の１〜６倍速相当）が設定されていることとする。
【０１３１】
さらに、記録方法を選択するための所望の最適条件としては、上述の▲１▼に従い、可能な限り高速で記録を実行する条件を選択することが設定されている場合を想定する。
【０１３２】
記録動作に際して、まず、光情報記録装置Ｄへ光情報記録媒体Ｃが挿入された場合、光情報記録記録装置Ｄにより光情報記録媒体Ｃにプリフォーマットされている記録条件情報を読取る作業を行う（Ｓ２）。この結果、光情報記録媒体Ｃにおいて、１Ｔ周期型パターンＡでの最低記録線速度は３．５ｍ／ｓ、最高記録線速度は１４．０ｍ／ｓであり、２Ｔ周期型パターンＢでの最低記録線速度は７．０ｍ／ｓ、最高記録線速度は２１．０ｍ／ｓであることから、光情報記録媒体Ｃの記録可能な線速度範囲が、１Ｔ周期型パターンＡでは３．５〜１４．０ｍ／ｓ、２Ｔ周期型パターンＢでは７．０〜２１．０ｍ／ｓであることが光情報記録装置Ｄに認識される。
【０１３３】
次に、読取った光情報記録媒体Ｃと光情報記録装置Ｄの有する記録条件情報とを照合する（Ｓ４）。このとき照合された記録条件情報から、この光情報記録媒体Ｃと光情報記録装置Ｄとの組合せにおいて、記録可能な線速度範囲は、１Ｔ周期型パターンＡでは３．５〜１０．５ｍ／ｓであり、２Ｔ周期型パターンＢでは７．０〜２１．０ｍ／ｓであることが判断される。ここに、この例では、可能な限り高速で記録を実行する条件を選択することが設定されている場合を想定しているので、照合された記録条件の中で、最も記録線速度の速い条件である２Ｔ周期型パターンＢを用いて線速度２１．０ｍ／ｓにて記録を行う条件を選択して、記録条件として設定する（Ｓ５）。
【０１３４】
次いで、選択した記録条件である２Ｔ周期型パターンＢ、記録線速度２１．０ｍ／ｓにおけるパルス幅の係数ｘ’，ｙ’，ｚ’，パワーレベルＰｂ’、ＯＰＣパラメータのＳ，Ｒ，Ｅ，Ｐｗｉを取得し、これらの条件を用いてＯＰＣを行い、パワーレベルＰｗ’，Ｐｅを決定する（Ｓ６，Ｓ７）。
【０１３５】
最後に、以上の手順にて決定した記録条件を用いて、実際に必要なデータについての記録を行う（Ｓ８）。
【０１３６】
このような記録条件決定方法を用いることにより、光情報記録装置の記録条件の設定範囲や記録方法の選択方法を調整することで、より広範囲での記録に対応することが可能となる。そのため、光情報記録装置として、できる限り高速にて記録を行うことを優先するコンピュータデータを扱うドライブ装置と、再生速度に近い速度にて映像データの記録を行うビデオレコーダ装置の両方に対して、共通の光情報記録媒体１での対応を容易に行うことができる。
【０１３７】
また、同一仕様の光情報記録装置では、２Ｔ周期型パターンＢを用いた場合の方が、１Ｔ周期型パターンＡを用いた場合に比べて、低いパワーレベルで記録することができる。また、パルス幅の絶対時間が同じであるとき、２Ｔ周期型パターンＢでは、デューティ比としては１Ｔ周期型パターンＡの半分となるので、パルス幅の最少時間は、デューティ比で１Ｔ周期型パターンＡの半分までを設定することが可能であり、パルスパターンの選択範囲は広くなっている。
【０１３８】
従って、パルスパターンのパワーレベルの上限や、パルス幅の最少時間が同一スペックである光情報記録装置（光ピックアップ）では、２Ｔ周期型パターンＢの方が、１Ｔ周期型パターンＡでは困難な高速領域まで記録を行うことができる。
【０１３９】
そのため、１Ｔ周期型パターンＡしか持たない光情報記録装置に比べて、１Ｔ周期型パターンと２Ｔ周期型パターンとの両方のパルスパターンに対応した光情報記録装置においては、広範囲な線速度での記録を行うことができることになり、光情報記録装置の商品寿命を延ばすことができる。また、１Ｔ周期型パターンＡのパルスパターンしか持たない光情報記録装置であっても、２Ｔ周期型パターンＢを発光可能なレーザ駆動回路に組替えることにより、同一の光ピックアップ構成のままで、高速記録に対応できる可能性を有するため、光情報記録装置のリサイクル使用が可能となる。
【０１４０】
［適用例］
本実施の形態の光情報記録装置は、再生速度に近い速度にて映像データの記録を行う単体的なビデオレコーダ装置としての適用の他に、例えば、図１２に示すように、光情報処理装置としてパーソナルコンピュータ５１に適用できる。即ち、このパーソナルコンピュータ５１は、３．５型ＦＤドライブ装置５２の他に、前述したような構成の光情報記録装置５３をＣＤ／ＤＶＤ−ＲＷドライブとして内蔵した構成とされている。
【０１４１】
このようなパーソナルコンピュータ５１によれば、上述したような光情報記録装置５３を一体に内蔵しているので、記録方式が同じ光情報記録媒体１との任意の組合せにおいて情報の記録又は書換えが極力可能となり、光情報記録媒体１との任意の組合せに関する互換性やマッチング性が向上することとなる。特に、極力高速で記録動作を行わせることで、光情報記録装置５３をコンピュータの外部メモリ装置として好適に用いることができる。
【０１４２】
【実施例】
［実施例１］
２種類のパルスパターンとして、最低記録線速度が３．５ｍ／ｓ（ＤＶＤ−ＲＯＭ再生の１倍速相当）、最高記録線速度が１４．０ｍ／ｓ（ＤＶＤ−ＲＯＭ再生の４倍速相当）とした１Ｔ周期の部分を含む図１に示したような１Ｔ周期型パターンＡと、最低記録線速度が７．０ｍ／ｓ（ＤＶＤ−ＲＯＭ再生の２倍速相当），最高記録線速度が２１．０ｍ／ｓ（ＤＶＤ−ＲＯＭ再生の６倍速相当）とした２Ｔ周期の部分を含む図３及び図４に示したような２Ｔ周期型パターンＢとの双方の記録条件情報がプリフォーマットされたＤＶＤ再生互換性を持つ相変化型光情報記録媒体Ｃを作製した。各々のパターンＡ，Ｂの場合におけるパルス幅、パワーレベル、ＯＰＣのパラメータの情報例を表１に示す。
【０１４３】
【表１】
2004046966.tif 000003
【０１４４】
このような光情報記録媒体Ｃを、記録可能な線速度範囲が、１Ｔ周期型パターンＡでは３．５〜１０．５ｍ／ｓ（ＤＶＤ−ＲＯＭ再生の１〜３倍速相当）、２Ｔ周期型パターンＢでは３．５〜２１．０ｍ／ｓ（ＤＶＤ−ＲＯＭ再生の１〜６倍速相当）であり、記録条件を選択するための所望の最適条件としては、可能な限り高速で記録を実行する条件を選択することが設定されているＤＶＤ記録用光情報記録装置Ｄ（株式会社リコー製テストドライブ）に挿入して、ＤＶＤ再生可能なコンテンツデータの記録を試みたところ、記録パルスパターンとして２Ｔ周期型パターンＢ、記録線速度として２１．０ｍ／ｓが選択され、そのパルスパターンのパラメータとして、パルス幅の係数では３Ｔがｘ’＝１．６５，ｚ’＝０．６５、３Ｔ以外の奇数Ｔがｘ’＝１．３０，ｙ’＝１．１５，ｚ’＝０．５５、偶数Ｔがｘ’＝１．２０，ｙ’＝１．１５，ｚ’＝０．３５，パワーレベルＰｂ’＝０．１ｍＷ、ＯＰＣパラメータＳ＝１．５５，Ｒ＝１．１４，Ｅ＝０．４７，Ｐｗｉ＝１７．０ｍＷによりＯＰＣを行って決定されたパワーレベルＰｗ’＝１８．９ｍＷ，Ｐｅ＝８．９ｍＷが設定されて、記録が実行されたものである。
【０１４５】
その記録された部分について、ＤＶＤ記録・再生評価装置（パルステック工業株式会社製ＤＤＵ−１０００）にて特性評価を行った結果は、表２に示す通り、ジッタ（データ・トゥ・クロック・ジッタ）特性が９％以下、変調度が０．６以上であり、良好な特性で記録することができていたものである。また、この光情報記録記録媒体Ｃについて、ＤＶＤ−ＲＯＭ再生装置（株式会社リコー製ＭＰ９１２０Ａ）により記録したコンテンツデータの読取りを行ったところ、読取りエラーを起こすことなく、データの読取りを行うことに成功したものである。
【０１４６】
【表２】
2004046966.tif 000004
【０１４７】
［実施例２］
２種類のパルスパターンとして、最低記録線速度が９．６ｍ／ｓ（ＣＤ−ＲＯＭ再生の８倍速相当）、最高記録線速度が１９．２ｍ／ｓ（ＣＤ−ＲＯＭ再生の１６倍速相当）とした図１に示すような１Ｔ周期の部分を含む１Ｔ周期型パターンＡと、最低記録線速度が９．６ｍ／ｓ（ＣＤ−ＲＯＭ再生の８倍速相当），最高記録線速度が３８．４ｍ／ｓ（ＣＤ−ＲＯＭ再生の３２倍速相当）とした図３及び図４に示すような２Ｔ周期の部分を含む２Ｔ周期型パターンＢとの沿う方の記録条件情報がプリフォーマットされたＣＤ再生互換性を持つ相変化型光情報記録媒体Ｇを作製した。各々の場合におけるパルス幅、パワーレベル、ＯＰＣのパラメータを表３に示す。
【０１４８】
【表３】
2004046966.tif 000005
【０１４９】
この光情報記録媒体Ｇを、記録可能な線速度範囲が、１Ｔ周期型パターンＡでは４．８〜２４．０ｍ／ｓ（ＣＤ−ＲＯＭ再生の４〜２０倍速相当）、２Ｔ周期型パターンＢでは４．８〜３８．４ｍ／ｓ（ＣＤ−ＲＯＭ再生の４〜３２倍速相当）であり、記録条件を選択するための所望の最適条件としては、可能な限り高速で記録を実行する条件を選択することが設定されているＣＤ記録用光情報記録装置Ｈ（株式会社リコー製テストドライブ）に挿入して、ＣＤ再生可能なコンテンツデータの記録を試みたところ、パルスパターンとして２Ｔ周期型パターンＢ、記録線速度として３８．４ｍ／ｓが選択され、そのパルスパターンのパラメータとして、パルス幅の係数では３Ｔがｘ’＝１．５０，ｚ’＝１．００，３Ｔ以外の奇数Ｔがｘ’＝１．３０，ｙ’＝１．１５，ｚ’＝０．５５、偶数Ｔがｘ’＝１．００，ｙ’＝１．００，ｚ’＝０．５０、パワーレベルＰｂ’＝０．１ｍＷ、ＯＰＣパラメータＳ＝１．３０，Ｒ＝１．２０，Ｅ＝０．３２，Ｐｗｉ＝２６．０ｍＷによりＯＰＣを行って決定されたパワーレベルＰｗ’＝１８．９ｍＷ，Ｐｅ＝８．９ｍＷが設定されて記録が実行された。
【０１５０】
その記録部について、ＣＤ記録・再生評価装置（パルステック工業株式会社製ＤＤＵ−１０００）にて特性評価を行った結果は、表２に示す通り、３Ｔジッタが３５ｎｓ以下、変調度が０．５５以上であり、良好な特性で記録することができていたものである。また、この光情報記録媒体Ｇについて、ＣＤ−ＲＯＭ再生装置（株式会社リコー製ＭＰ９１２０Ａ）により記録したコンテンツデータの読取りを行ったところ、読取りエラーを起こすことなく、データの読取りを行うことに成功したものである。
【０１５１】
［実施例３］
２種類のパルスパターンとして、最低記録線速度が３．５ｍ／ｓ（ＤＶＤ−ＲＯＭ再生の１倍速相当）、最高記録線速度が１４．０ｍ／ｓ（ＤＶＤ−ＲＯＭ再生の４倍速相当）とした図１に示したような１Ｔ周期の部分を含む１Ｔ周期型パターンＡと、最低記録線速度が７．０ｍ／ｓ（ＤＶＤ−ＲＯＭ再生の２倍速相当）、最高記録線速度が２１．０ｍ／ｓ（ＤＶＤ−ＲＯＭ再生の６倍速相当）とした図３及び図４に示したような２Ｔ周期の部分を含む２Ｔ周期型パターンＢとの双方の記録条件情報がプリフォーマットされたＤＶＤ再生互換性を持つ相変化型光情報記録媒体Ｃを作製した。各々の場合におけるパルス幅，パワーレベル，ＯＰＣのパラメータを表１に示す。即ち、実施例１と同じ光情報記録媒体である。
【０１５２】
この光情報記録媒体Ｃを、所望の最適条件として、１Ｔ周期型パターンＡで３．５ｍ／ｓ（ＤＶＤ−ＲＯＭ再生の１倍速相当）なる線速度にて記録可能であれば記録を行うＤＶＤ記録用光情報記録装置Ｆ（株式会社リコー製テストドライブ）に装填して、ＤＶＤ再生可能なコンテンツデータの記録を試みたところ、記録パルスパターンとして１Ｔ周期型パターンＡ、記録線速度として３．５ｍ／ｓが選択され、そのパルスパターンのパラメータとして、パルス幅の係数がｘ＝０．３０，ｙ＝０．２５，ｚ＝０．９５、パワーレベルＰｂ＝０．１ｍＷ、ＯＰＣパラメータＳ＝１．３５，Ｒ＝１．１８，Ｅ＝０．３５，Ｐｗｉ＝１４．２ｍＷによりＯＰＣを行って決定されたパワーレベルＰｗ’＝１５．８ｍＷ，Ｐｅ＝５．５ｍＷが設定されて、記録が実行されたものである。
【０１５３】
その記録部について、ＤＶＤ記録・再生評価装置（パルステック工業株式会社製ＤＤＵ−１０００）にて特性評価を行った結果は、表３に示す通り、ジッタ（データ・トゥ・クロック・ジッタ）特性が９％以下、変調度が０．６以上であり、良好な特性で記録することができていたものである。また、この光情報記録媒体Ｃについて、ＤＶＤ−ＲＯＭ再生装置（株式会社リコー製ＭＰ９１２０Ａ）により記録したコンテンツデータの読取りを行ったところ、読取りエラーを起こすことなく、データの読取りを行うことに成功したものである。
【０１５４】
【発明の効果】
請求項１記載の発明の光情報記録媒体によれば、マルチパルス列パターンに関して適用線速度範囲の異なる複数種類のパルスパターンのパラメータ情報及び各々のパルスパターンで当該媒体に記録可能な線速度に関する情報が記録条件情報として予めプリフォーマットされているので、或る光情報記録装置に装填されて情報の記録又は書換えに供される場合に、当該媒体に関して記録可能な線速度に関する情報を複数種類のパルスパターンを利用することで適用線速度範囲が異なる広範囲に亘って当該装置に提供することができ、当該装置側では自己の性能に応じた記録条件を選択できることとなるので、記録方式が同じ光情報記録装置との任意の組合せにおいて情報の記録又は書換えが極力可能となり、光情報記録装置との任意の組合せに関する互換性やマッチング性を向上させることができる。
【０１５５】
請求項２記載の発明によれば、請求項１記載の光情報記録媒体において、実際に記録条件を決定する上で、レーザ光の最適発光パワーを設定するための試し書きを行わせることが多いが、各々のパルスパターンに対応する試し書きに関するパラメータ情報も記録条件情報として併せてプリフォーマットされているので、選択されるパルスパターンに応じた試し書き処理を簡単かつ適正に行わせることができる。
【０１５６】
請求項３記載の発明によれば、請求項１又は２記載の光情報記録媒体において、加熱パルスと冷却パルスとの組合せを２Ｔ周期とする部分を含む２Ｔ周期型パターンは、マルチパルス列パターンを用いてレーザ光を発光させて記録する上で、記録線速度が速くなると基本クロック周波数が高くなり、レーザ光源の立上り、立下り時間が間に合わなくなることから創案された高速向きパルスパターンであるが、このような２Ｔ周期型パターンが、通常の１Ｔ周期型パターンとともに予めプリフォーマットされているので、適用線速度範囲を広げることができ、任意の光情報記録装置との任意の組合せに関する互換性やマッチング性の向上を、極力少ないプリフォーマット情報により実現することができ、また、このような光情報記録媒体が装填される光情報記録装置側からみると、同一スペックの装置において、通常の１Ｔ周期型パターンでは困難であった高速領域の記録も２Ｔ周期型パターンを利用することで可能となり、光情報記録装置の型落ち品化が低減し、商品寿命が延びることとなる。
【０１５７】
請求項４記載の発明によれば、請求項３記載の光情報記録媒体において、１Ｔ周期型パターンの適用線速度範囲が１９．２ｍ／ｓ（ＣＤ−ＲＯＭ再生の１６倍速相当）固定、２Ｔ周期型パターンの適用線速度範囲が９．６ｍ／ｓ（ＣＤ−ＲＯＭ再生の８倍速相当）〜２８．８ｍ／ｓ（ＣＤ−ＲＯＭ再生の２４倍速相当）のような組合せの場合にも、好適に適用することができる。
【０１５８】
請求項５記載の発明によれば、パラメータ情報をプリフォーマットする上で、実際に採用されているウォブルエンコード法を活用でき、請求項１ないし４記載の発明を容易に実現することができる。
【０１５９】
請求項６記載の発明によれば、請求項５記載の光情報記録媒体において、プリフォーマットされた情報は、ウォブリングの周波数変調によって記録されているので、いわゆる書換え可能なＣＤ−ＲＷ系の光情報記録媒体の場合に好適に適用することができる。
【０１６０】
請求項７記載の発明によれば、請求項５記載の光情報記録媒体において、プリフォーマットされた情報は、ウォブリングの位相変調によって記録されているので、いわゆる書換え可能なＤＶＤ＋ＲＷ系の光情報記録媒体の場合に好適に適用することができる。
【０１６１】
請求項８記載の発明によれば、請求項５ないし７の何れか一記載の光情報記録媒体において、プリフォーマットされた情報は、リードイン部分に記録されているので、通常、光情報記録装置がディスク固有の情報を取得するためにアクセスするリードイン領域をプリフォーマット領域として活用することにより、そのパラメータ情報の読出しを確実に行わせることができる。
【０１６２】
請求項９記載の発明によれば、請求項５ないし７の何れか一記載の光情報記録媒体において、プリフォーマットされた情報は、情報記録領域よりも内周又はテスト記録領域よりも内周側の部分に記録されているので、リードイン領域のみでは情報量が不足する場合に情報記録領域に支障を来たすことなく対処することができる。
【０１６３】
請求項１０記載の発明によれば、請求項５ないし７の何れか一記載の光情報記録媒体において、プリフォーマットされた情報は、情報記録領域よりも外周であって、リードアウト部よりも外周側又は外周部のテスト記録領域よりも外周側の部分に記録されているので、リードイン領域のみでは情報量が不足する場合に情報記録領域に支障を来たすことなく対処することができる。
【０１６４】
請求項１１記載の発明によれば、請求項１ないし４の何れか一記載の光情報記録媒体において、プリフォーマットされた情報は、情報記録領域の一部に記録されているので、既存の光情報記録媒体であっても、記録条件情報を任意の時点でプリフォーマットすることができる。
【０１６５】
請求項１２記載の発明によれば、請求項１ないし４の何れか一記載の光情報記録媒体において、プリフォーマットされた情報は、当該媒体の表面の一部にコード情報として表記されているので、既存の光情報記録媒体であっても、記録条件情報を後付けによりプリフォーマットすることができる。
【０１６６】
請求項１３記載の発明の記録条件決定方法によれば、マルチパルス列パターンに関して適用線速度範囲の異なる複数種類のパルスパターンのパラメータ情報及び各々のパルスパターンで当該媒体に記録可能な線速度に関する情報が記録条件情報として予めプリフォーマットされた光情報記録媒体に対して情報の記録又は書換えを行う上で、当該媒体からこれらの記録条件情報を取得して当該光情報記録装置で記録可能な線速度情報を含む性能に関する記録条件情報と比較することで、当該装置側では自己の性能に応じて所望の最適条件を満たす記録条件を選択・設定することができるので、記録方式が同じ光情報記録媒体と光情報記録装置との任意の組合せにおいて情報の記録又は書換えが極力可能となり、光情報記録媒体と光情報記録装置との任意の組合せに関する互換性やマッチング性を向上させることができる。
【０１６７】
請求項１４記載の発明によれば、請求項１３記載の記録条件決定方法において、実際に記録条件を決定する上で、レーザ光の最適発光パワーを設定するための試し書きを行わせることが多いが、各々のパルスパターンに対応する試し書きに関するパラメータ情報も記録条件情報として併せてプリフォーマットされているので、選択されるパルスパターンに応じて試し書き処理を行うことで、適正な発光パワーの決定が可能となる。
【０１６８】
請求項１５記載の発明によれば、請求項１３又は１４記載の記録条件決定方法において、実際のテスト記録の結果に基づき記録条件を最終決定するので、良好なる記録又は書換え動作を行わせることができる。
【０１６９】
請求項１６記載の発明によれば、請求項１３ないし１５の何れか一記載の記録条件決定方法において、所望の最適条件を、光情報記録媒体の記録条件情報と当該光情報記録装置の記録条件情報との比較において記録可能な条件のうちで最高線速度となる条件とすることで、任意の光情報記録媒体と光情報記録装置との任意の組合せに関する互換性やマッチング性の向上を図る形態として、極力高速に記録動作を行わせることができ、コンピュータの外部メモリ装置等へ適用する上で好適化を図ることができる。
【０１７０】
請求項１７記載の発明によれば、請求項１３ないし１５の何れか一記載の記録条件決定方法において、所望の最適条件が、或る一種類のパルスパターンに特定された記録条件下において、前記光情報記録媒体の記録条件情報と当該光情報記録装置の記録条件情報との比較において記録可能な条件のうちで最高線速度となる条件とすることで、例えば、旧来から存在しており、一種類のパルスパターンにしか対応していない光情報記録装置（例えば、旧世代のドライブ装置）においても、極力高速で記録可能となり、そのため、新たに発売された光情報記録媒体であっても、記録可能な線速度範囲がオーバーラップしていれば、旧来の光情報記録装置で記録することが可能であり、当該光情報記録装置の製品寿命を延ばすことができる。
【０１７１】
請求項１８記載の発明によれば、請求項１３ないし１５の何れか一記載の記録条件決定方法において、所望の最適条件が、或る一種類のパルスパターンの或る線速度に特定された記録条件下において、前記光情報記録媒体の記録条件情報と当該光情報記録装置の記録条件情報との比較において記録可能であれば当該記録条件を有効とする条件とすることで、例えば、旧来から存在しており、一種類のパルスパターン・一種類の線速度にしか対応していない光情報記録装置（例えば、ビデオレコーダのような装置）においても、記録可能となる。そのため、光情報記録装置に関してビデオレコーダとドライブ装置とを一種類の光情報記録媒体で対応することができ、かつ、当該光情報記録装置の製品寿命を延ばすことができる。
【０１７２】
請求項１９記載の発明によれば、請求項１３ないし１５の何れか一記載の記録条件決定方法において、所望の最適条件を、光情報記録媒体の記録条件情報と当該光情報記録装置の記録条件情報との比較において記録可能な条件のうちで記録状態が最も安定する条件とすることで、任意の光情報記録媒体と光情報記録装置との任意の組合せに関する互換性やマッチング性の向上を図る形態として、例えば再生速度に近い状態で極力高品質な記録動作を行わせることができ、映像データ等の記録に適用する上で好適化を図ることができる。
【０１７３】
請求項２０記載の発明の光情報記録装置によれば、マルチパルス列パターンに関して適用線速度範囲の異なる複数種類のパルスパターンのパラメータ情報及び各々のパルスパターンで当該媒体に記録可能な線速度に関する情報が記録条件情報として予めプリフォーマットされた光情報記録媒体に対して情報の記録又は書換えを行う上で、当該媒体からこれらの記録条件情報を取得して当該装置で記録可能な線速度情報を含む性能に関する記録条件情報と比較することで、当該装置側では自己の性能に応じて所望の最適条件を満たす記録条件を選択・設定することができるので、記録方式が同じ光情報記録媒体との任意の組合せにおいて情報の記録又は書換えが極力可能となり、光情報記録媒体との任意の組合せに関する互換性やマッチング性を向上させることができる。
【０１７４】
請求項２１記載の発明によれば、請求項２０記載の光情報記録装置において、実際に記録条件を決定する上で、レーザ光の最適発光パワーを設定するための試し書きを行わせることが多いが、各々のパルスパターンに対応する試し書きに関するパラメータ情報も記録条件情報として併せてプリフォーマットされているので、選択されるパルスパターンに応じて試し書き処理を行うことで、適正な発光パワーの決定が可能となる。
【０１７５】
請求項２２記載の発明によれば、請求項２０又は２１記載の光情報記録装置において、実際のテスト記録の結果に基づき記録条件を最終決定するので、良好なる記録又は書換え動作を行わせることができる。
【０１７６】
請求項２３記載の発明によれば、請求項２０ないし２２の何れか一記載の光情報記録装置において、所望の最適条件を、光情報記録媒体の記録条件情報と当該光情報記録装置の記録条件情報との比較において記録可能な条件のうちで最高線速度となる条件とすることで、光情報記録媒体との任意の組合せに関する互換性やマッチング性の向上を図りつつ、極力高速に記録動作を行わせることができ、コンピュータの外部メモリ装置等へ適用する上で好適化を図ることができる。
【０１７７】
請求項２４記載の発明によれば、請求項２０ないし２２の何れか一記載の光情報記録装置において、選択手段が選択するための所望の最適条件が、或る一種類のパルスパターンに特定された記録条件下において、記録可能な条件のうちで最高線速度となる条件とすることで、例えば、旧来から存在しており、一種類のパルスパターンにしか対応していない光情報記録装置（例えば、旧世代のドライブ装置）においても、極力高速で記録可能となる。そのため、新たに発売された光情報記録媒体であっても、記録可能な線速度範囲がオーバーラップしていれば、旧来の光情報記録装置で記録することが可能であり、当該光情報記録装置の製品寿命を延ばすことができる。
【０１７８】
請求項２５記載の発明は、請求項２０ないし２２の何れか一記載の光情報記録装置において、選択手段が選択するための所望の最適条件が、或る一種類のパルスパターンの或る線速度に特定された記録条件下において、記録可能であれば当該記録条件を有効とする条件とすることで、例えば、旧来から存在しており、一種類のパルスパターン・一種類の線速度にしか対応していない光情報記録装置（例えば、ビデオレコーダのような装置）においても、記録可能となる。そのため、光情報記録装置に関してビデオレコーダとドライブ装置とを一種類の光情報記録媒体で対応することができ、かつ、当該光情報記録装置の製品寿命を延ばすことができる。
【０１７９】
請求項２６記載の発明によれば、請求項２０ないし２２の何れか一記載の光情報記録装置において、所望の最適条件を、光情報記録媒体の記録条件情報と当該光情報記録装置の記録条件情報との比較において記録可能な条件のうちで記録状態が最も安定する条件とすることで、光情報記録媒体と光情報記録装置との任意の組合せに関する互換性やマッチング性の向上を図りつつ、再生速度に近い状態で極力高品質な記録動作を行わせることができ、映像データ等の記録に適用する上で好適化を図ることができる。
【０１８０】
請求項２７記載の発明の情報処理装置によれば、請求項２０ないし２６の何れか一記載の光情報記録装置を内蔵しているので、記録方式が同じ光情報記録媒体との任意の組合せにおいて情報の記録又は書換えが極力可能となり、光情報記録媒体との任意の組合せに関する互換性やマッチング性が向上し、特に、極力高速に記録動作を行わせることで、光情報記録装置をコンピュータの外部メモリ装置として好適に用いることができる。
【図面の簡単な説明】
【図１】本発明の一実施の形態の１Ｔ周期型パターンの一例を示すパルス波形図である。
【図２】１Ｔ周期型パターンの他例を示すパルス波形図である。
【図３】２Ｔ周期型パターンの偶数例を示すパルス波形図である。
【図４】２Ｔ周期型パターンの奇数例を示すパルス波形図である。
【図５】光情報記録媒体の原理的構造例を示す概略断面図である。
【図６】光情報記録媒体の領域割当てを示す平面図である。
【図７】その断面構造図である。
【図８】１ＡＴＩＰフレームのデータフォーマットを示す説明図である。
【図９】光情報記録装置の構成例を示す概略ブロック図である。
【図１０】記録条件決定〜記録動作に至る処理例を示す概略フローチャートである。
【図１１】その具体的処理例を示す概略フローチャートである。
【図１２】情報処理装置への適用例を示す外観斜視図である。
【符号の説明】
１　　　光情報記録媒体
２　　　透明基板
４　　　相変化型記録層
１４　　　リードイン領域
１５　　　情報記録領域
２２　　　回転駆動機構
２３　　　レーザ光源
３１　　　速度制御手段
３７　　　発光波形制御手段
４２　　　光源駆動手段
５３　　　光情報記録媒体
【図１】
2004046966.tif 000006
【図２】
2004046966.tif 000007
【図３】
2004046966.tif 000008
【図４】
2004046966.tif 000009
【図５】
2004046966.tif 000010
【図６】
2004046966.tif 000011
【図７】
2004046966.tif 000012
【図８】
2004046966.tif 000013
【図９】
2004046966.tif 000014
【図１０】
2004046966.tif 000015
【図１１】
2004046966.tif 000016
【図１２】
2004046966.tif 000017